(57)【要約】【課題】製品と製品パッケージの識別と、電力供給と、制御のシステムと方法。【解決手段】このシステムは、コンタクトレス電源を有するＰＯＳ（ｐｏｉｎｔ  ｏｆ  ｓａｌｅ）ディスプレイを含むことができる。このコンタクトレス電源は、製品と製品パッケージのための無線電力のソースを提供することができる。製品と製品パッケージは、発光ダイオードと、ｅインク・ディスプレイと、コンタクトレス電源の動作周波数が変動すると作動するプリント・スピーカー回路とを含むことができる。他の実施形態は、製品レベル・センサと、誘導性リーダ・ネットワークと、プリント温度センサと、製品アライメント・システムと、受動的識別回路と、それらの作動を制御する方法とを含む。【選択図】図２
2013533522.tif 000002
【特許請求の範囲】
【請求項１】
製品のための格納デバイスと、該格納デバイスにより支持され、二次コイルと可変インピーダンス素子を含む製品センサ回路と、を備える製品センサであって、可変インピーダンス素子のインピーダンスは、製品の特性に基づいて変動する、製品センサ。
【請求項２】
インピーダンス素子は、可変抵抗器と、可変キャパシタと、可変インダクタと、の内の１つを含む、請求項１に記載の製品センサ。
【請求項３】
前記製品は、重量を定める複数の落下する可能性のある物品を含み、前記特性は、前記格納デバイス内に、前記複数の落下する可能性のある物品の前記重量を含む、請求項１に記載の製品センサ。
【請求項４】
前記製品は、体積を定める液体を備え、前記特性は、前記液体の前記体積を格納デバイスに含む、請求項１に記載の製品センサ。
【請求項５】
前記製品は、体積を定める液体を備え、前記特性は、前記液体の前記温度を前記格納デバイスに含む、請求項１に記載の製品センサ。
【請求項６】
前記製品は、量を定めるシート材料のロールを含み、前記格納デバイスは、ロール形状を含み、前記特性は、前記ロール形状でのシート材料の前記量を含む、請求項１に記載の製品センサ。
【請求項７】
シート材料の前記ロールは、可変インピーダンス素子の前記インピーダンスを変動するためのパーフォレーション（ｐｅｒｆｏｒａｔｉｏｎ）に沿って、分離可能である、請求項６に記載の製品センサ。
【請求項８】
シート材料の前記ロールは、縦方向軸を定め、前記パーフォレーションは、縦方向軸に概垂直である、請求項７に記載の製品センサ。
【請求項９】
シート材料の前記ロールは、縦方向軸を定め、前記パーフォレーションは、縦方向軸と概平行である、請求項７に記載の製品センサ。
【請求項１０】
格納デバイスによってサポートされ、電磁界を変動する時間に応じて、前記液体を加熱するのに適している加熱素子を更に備える請求項５に記載の製品センサ。
【請求項１１】
前記加熱素子は、強磁性材から形成される、請求項１０に記載の製品センサ。
【請求項１２】
電力源を加熱素子に提供するための、前記加熱素子に電気的に接続する誘導性素子を更に含む請求項１０に記載の製品センサ。
【請求項１３】
前記可変インピーダンス素子は、サーミスタである、請求項５に記載の製品センサ。
【請求項１４】
前記製品センサ回路は、直列共振キャパシタを含む、請求項１に記載の製品センサ。
【請求項１５】
格納デバイスは、製品のために格納スペースを定める、ベースと上への広がっている側壁を含む、請求項１に記載の製品センサ。
【請求項１６】
格納デバイスによって支持される製品識別回路であって、誘導性識別プロフィールを規定する製品識別回路を更に含む請求項１に記載の製品センサ。
【請求項１７】
製品識別回路は、各々が共振周波数を定める複数の孤立した共振回路を含む、請求項１６に記載の製品センサ。
【請求項１８】
複数の分離された共振回路の各々は、前記対応する分離された共振回路の共振周波数を変動させるためにスイッチを含む、請求項１７に記載の製品センサ。
【請求項１９】
複数の分離された共振回路の各々は、抵抗素子に電気的に結合された、誘導性素子を含み、前記スイッチは、概抵抗素子を短絡させるために動作可能である、請求項１８に記載の製品センサ。
【請求項２０】
一次タンク回路を含む誘導性リーダであって、該誘導性リーダは、可変インピーダンスを定めている製品センサ回路のインピーダンスに基づいて、製品の特性を決定するのに適しており、前記製品センサ回路は、前記製品のためのサポート・デバイスの上に含まれている、誘導性リーダを備える製品センサーシステム。
【請求項２１】
前記誘導性リーダは、前記決定された特性を、該誘導性リーダと前記サポート・デバイスとから遠隔にあるハブに送るのに適している、請求項２０に記載の製品センサーシステム。
【請求項２２】
前記製品は、重量を定める複数の落下する可能性のある物品を含み、前記特性は、前記サポート・デバイスの中の前記複数の落下する可能性のある物品の重さを含む、請求項２０に記載の製品センサーシステム。
【請求項２３】
前記製品は、体積を定める液体を備え、前記特性は、前記サポート・デバイスの中の前記液体の量を含む、請求項２０に記載の製品センサーシステム。
【請求項２４】
前記製品は、体積を定める液体を備え、前記特性は、前記サポート・デバイスの中の前記液体の温度を含む、請求項２０に記載の製品センサーシステム。
【請求項２５】
前記製品は、量を定めるシート材料のロールを含み、前記サポート・デバイスは、ロール形状を含み、前記特性は、ロール形状におけるシート材料の量を含む、請求項２０に記載の製品センサーシステム。
【請求項２６】
前記製品センサ回路は、可変インピーダンス素子を含む、請求項２０に記載の製品センサーシステム。
【請求項２７】
前記可変インピーダンス素子は、可変キャパシタと、可変インダクタと、可変抵抗器と、のうちの１つを含む、請求項２６に記載の製品センサーシステム。
【請求項２８】
前記液体は、少なくとも部分的に導電性である、請求項２３に記載の製品センサーシステム。
【請求項２９】
前記サポート・デバイスによって支持され、電磁場を変動している時間に応じて、前記液体を加熱するのに適している加熱素子を更に備える請求項２４の製品センサーシステム。
【請求項３０】
前記加熱素子は、強磁性材から形成される、請求項２９に記載の製品センサーシステム。
【請求項３１】
シート材料の前記ロールは、前記製品センサ回路の前記インピーダンスを変動させるために、パーフォレーションに沿って分離できる、請求項２５に記載の製品センサーシステム。
【請求項３２】
サポート・デバイスによって支持される製品識別回路を更に備える製品センサーシステムであって、該製品識別回路は、誘導性識別プロフィールを定める、請求項２０に記載の製品センサーシステム。
【請求項３３】
前記製品識別回路は、各々が共振周波数を定める複数の孤立した共振回路を含む、請求項３２に記載の製品センサーシステム。
【請求項３４】
複数の分離された共振回路の各々は、前記対応する分離された共振回路の共振周波数を変動させるためにスイッチを含む、請求項３３に記載の製品センサーシステム。
【請求項３５】
複数の分離された共振回路の各々は、抵抗素子に電気的に結合された、誘導性素子を含み、前記スイッチは、概抵抗素子を短絡させるために動作可能である、請求項３４に記載の製品センサーシステム。
【請求項３６】
前記誘導性リーダは、前記誘導性識別プロフィールの関数として選択された周波数を有する前記一次タンク回路において電流を変動する時間を生成するのに適合している、請求項３２に記載の製品センサーシステム。
【請求項３７】
可変インピーダンスを規定する製品センサ回路を提供するステップと、サポート・デバイスを可変特性を定めている製品に提供するステップと、前記製品センサ回路を該サポート・デバイスに取り付けるステップであって、前記製品センサ回路の前記インピーダンスは、製品の特性に基づいて変動する、ステップとを含む、製品センサを形成する方法。
【請求項３８】
前記製品を前記サポート・デバイスに加えるステップを更に含む請求項３７に記載の方法。
【請求項３９】
前記製品センサ回路により、二次コイルと可変インピーダンス素子とを規定するステップを更に含む請求項３７に記載の方法。
【請求項４０】
前記サポート・デバイスにより、ベースと側壁を規定するステップを更に含む請求項３７に記載の方法。
【請求項４１】
前記サポート・デバイスにより、ロール形状を規定するステップを更に含む請求項３７に記載の方法。
【請求項４２】
前記製品は、シート材料のロールを含む、請求項４１に記載の方法。
【請求項４３】
シート材料のロールにパーフォレーション処理するステップであって、シート材料の前記ロールは、前記製品センサ回路の前記インピーダンスを変動させるために、該パーフォレーションに沿って分離できる、ステップを更に含む請求項４２に記載の方法。
【請求項４４】
加熱素子を前記サポート・デバイスに取り付けるステップであって、該加熱素子は、電磁場を変動している時間に応じて、前記製品を加熱するように動作可能である、ステップを更に含む請求項４１に記載の方法。
【請求項４５】
強磁性材料から前記加熱素子を形成するステップを更に含む請求項４４に記載の方法。
【請求項４６】
製品のための格納デバイスと、格納デバイスによって支持される製品識別回路であって、各々が共振周波数を規定する複数の分離された共振回路を含む製品識別回路を備える製品識別デバイス。
【請求項４７】
前記格納デバイスは、格納スペースを規定するベースと上への広がっている側壁とを含むコンテナを備える、請求項４６に記載の製品識別デバイス。
【請求項４８】
前記複数の分離された共振回路の各々が、前記対応する分離された共振回路の前記共振周波数を変動させるスイッチを含む、請求項４６に記載の製品識別デバイス。
【請求項４９】
前記複数の分離された共振回路の各々が、抵抗素子に電気的に結合される誘導性素子を含み、前記スイッチは、概抵抗素子を短絡させるために動作可能である、請求項４８に記載の製品識別デバイス。
【請求項５０】
前記複数の分離された共振回路の各々が、整流ダイオードを含む、請求項４６に記載の製品識別デバイス。
【請求項５１】
前記整流ダイオードは、発光ダイオードを含む、請求項５０に記載の製品識別デバイス。
【請求項５２】
負荷と、該負荷に電気的に接続する二次タンク回路とを更に備え、前記負荷と前記第二のタンク回路は、前記格納デバイスによって支持される、または、前記格納デバイスの中にある、請求項４６に記載の製品識別デバイス。
【請求項５３】
前記負荷は、発光ダイオードと、ｅインク・ディスプレイと、電子発光ディスプレイと、液晶ディスプレイと、のうちの１つを含む、請求項５２に記載の製品識別デバイス。
【請求項５４】
前記サポート・デバイスは、ベースと、そこから上方へ広がっている前方を向いている側壁とを含み、前記負荷は、前記サポート・デバイスの前方を向いている側壁によって支持されている、請求項５２に記載の製品識別デバイス。
【請求項５５】
前記負荷は、静電スピーカーを含む、請求項５２に記載の製品識別デバイス。
【請求項５６】
前記負荷は、蓄電池を含む、請求項５２に記載の製品識別デバイス。
【請求項５７】
前記負荷は、加熱素子を含む、請求項５２に記載の製品識別デバイス。
【請求項５８】
前記複数の分離された共振回路は、少なくとも部分的に、互いに重なるように配列されて、配置される、請求項４６に記載の製品識別デバイス。
【請求項５９】
前記複数の分離された共振回路の各々が、誘導性巻き線とシールド素子とを含む、請求項４６に記載の製品識別デバイス。
【請求項６０】
各々のシールド素子は、前記対応する二次巻線を、様々な程度に包囲する、請求項５９に記載の製品識別デバイス。
【請求項６１】
一次タンク回路を含む誘導性リーダであって、前記誘導性リーダは、製品の同一性を、複数の分離された共振回路の共振周波数に基づいて、決定するのに適しており、分離された共振回路の各々が共振周波数を規定し、前記複数の分離された共振回路は、前記製品の格納デバイスに含まれている、誘導性リーダを備える製品識別システム。
【請求項６２】
前記誘導性リーダは、第１の誘導性リーダであり、前記システムは、第２の誘導性リーダを更に含む、請求項６１に記載の製品識別システム。
【請求項６３】
前記第１の誘導性リーダおよび前記第２の誘導性リーダは、前記製品の前記同一性を前記第１の誘導性リーダおよび前記第２の誘導性リーダから遠隔にあるハブに送るのに適応している、請求項６２に記載の製品識別システム。
【請求項６４】
前記ハブは、識別された製品の在庫を集積するように動作可能である、請求項６３に記載の製品識別システム。
【請求項６５】
前記ハブは、識別された製品の前記在庫に基づいて、レシピを生成するように動作可能である、請求項６４に記載の製品識別システム。
【請求項６６】
前記ハブは、識別された製品の前記在庫に基づいて、買い物リストを生成するように動作可能である、請求項６４に記載の製品識別システム。
【請求項６７】
前記ハブは、各々の識別された製品を前記対応する識別された製品の特性と結びつけるように動作可能である、請求項６４に記載の製品識別システム。
【請求項６８】
各々の識別された製品は、食品であり、前記特性は、各々の識別された食品の栄養内容を含む、請求項６７に記載の製品識別システム。
【請求項６９】
前記第１の誘導性リーダおよび前記第２の誘導性リーダは、台所と、食料品置場と、バスルームと、洗濯物室と、のうちの１つに位置している、請求項６２に記載の製品識別システム。
【請求項７０】
前記誘導性リーダは、前記一次タンク回路に電気的に接続されるドライバを含み、該ドライバは、前記一次でタンク回路において、前記複数の分離された共振回路の前記共振周波数の関数として選択された周波数を有する時間変動電流を生成するのに適している、請求項６１に記載の製品識別システム。
【請求項７１】
前記格納デバイスは、前記負荷に電気的に接続した第二のタンク回路を含み、前記一次タンク回路における前記時間変動電流は、前記負荷に給電するために、前記二次タンク回路において電流を誘導する、請求項７０に記載の製品識別システム。
【請求項７２】
前記負荷は、加熱素子と、バッテリーと、静電スピーカーと、液晶ディスプレイと、ＬＥＤと、ｅインク・ディスプレイと、電界発光デバイスと、のうちの１つを含む、請求項７１に記載の製品識別システム。
【請求項７３】
前記複数の分離された共振回路の各々が、前記対応する分離された共振回路の前記共振周波数を変動させるスイッチを含む、請求項６１に記載の製品識別システム。
【請求項７４】
前記複数の分離された共振回路の各々が、誘導性素子と平行抵抗型負荷とを含み、＜そこにおいて、＞前記スイッチは、該平行抵抗型負荷を短絡させるために動作可能である、請求項７３に記載の製品識別システム。
【請求項７５】
前記複数の分離された共振回路の各々が、非導電性基盤にプリントされる、請求項７４に記載の製品識別システム。
【請求項７６】
前記基盤は、パーフォレーションを含み、前記複数の共振回路の各々は、該パーフォレーションを横切って延びている、請求項７５に記載の製品識別システム。
【請求項７７】
前記パーフォレーションの分離は、前記複数の共振回路の少なくとも１つの共振周波数を変動させる、請求項７６に記載の製品識別システム。
【請求項７８】
前記複数の共振回路の各々は、インピーダンス素子と電流パスとを含み、前記パーフォレーションの分離は、前記インピーダンス素子を通して前記電流パスを変える、請求項７７に記載の製品識別システム。
【請求項７９】
前記パーフォレーションは、引き裂きタブを規定し、該引き裂きタブは、前記インピーダンス素子を短絡させる導電性配線を含む、請求項７８に記載の製品識別システム。
【請求項８０】
インピーダンス素子は、抵抗器と、キャパシタと、インダクタと、のうちの１つである、請求項７９に記載の製品識別システム。
【請求項８１】
前記誘導性リーダは、コントローラを含み、該コントローラは、素数を前記複数の分離された共振回路の各々の共振周波数に割り当てるのに適応している、請求項６１に記載の製品識別システム。
【請求項８２】
前記コントローラは、更に、整数を、前記複数の分離された共振回路の各々の前記共振周波数に割り当てるのに適応している、請求項８１に記載の製品識別システム。
【請求項８３】
前記コントローラは、更に、ユニークな識別子を、製品に割り当てるのに適応しており、該ユニークな識別子は、各々の共振周波数に対して、対応する整数まで上げられた前記素数の製品に基づいている、請求項８２に記載の製品識別システム。
【請求項８４】
前記ユニークな識別子は、素因数分解を規定する、請求項８３に記載の製品識別システム。
【請求項８５】
装置識別子に関連した格納デバイスを提供するステップと、各々共振周波数を定めている複数の分離された共振回路を含む受動的識別回路を提供するステップであって、前記装置識別子は、複数の分離された共振回路の共振周波数に基づく、ステップと、前記製品識別回路を前記格納デバイスに取り付けるステップと、を含む製品識別デバイスを形成する方法。
【請求項８６】
前記格納デバイスでベースと側壁を規定するステップを更に含む請求項８５に記載の方法。
【請求項８７】
受動的識別回路を提供するステップは、複数の絶縁した共振回路を非導電性基盤にプリントすることを含む、請求項８５に記載の方法。
【請求項８８】
複数の引き裂きタブを規定するために、非導電性基盤の少なくとも一部にパーフォレートするステップを更に含む請求項８７に記載の方法。
【請求項８９】
加熱素子を前記サポート・デバイスに取り付けるステップであって、電磁場を変動している時間に応じて、該加熱素子を起動する、ステップを更に含む請求項８５に記載の方法。
【請求項９０】
前記加熱素子は、強磁性材料を含む、請求項８９に記載の方法。
【請求項９１】
前記分離された共振回路は、容量性素子と電気的に結合された誘導性素子を含む、請求項８５に記載の方法。
【請求項９２】
前記複数の分離された共振回路は、実質的に異なる共振周波数を規定する、請求項８５に記載の方法。
【請求項９３】
前記デバイス識別子は、素因数分解を規定する、請求項８５に記載の方法。
【請求項９４】
前記製品識別回路を前記格納デバイスに取り付ける前記ステップは、複数の分離された共振回路を前記格納デバイスにプリントすることを含む、請求項８５に記載の方法。
【請求項９５】
一次コイルを含むコンタクトレス電源と、二次コイルを含むコードレス・アイロンと、発熱素子と、アイロンかけのための露出非粘着表面と、を備えるアイロンかけシステムであって、前記コードレス・アイロンは、前記非粘着表面と前記発熱素子との間に位置するセラミック発熱基盤を含む、システム。
【請求項９６】
前記非粘着表面は、テフロン（登録商標）である、請求項９５に記載のアイロンかけシステム。
【請求項９７】
前記発熱素子は強磁性であり、前記発熱素子は、前記一次コイルによって直接エネルギーを与えられる、請求項９５に記載のアイロンかけシステム。
【請求項９８】
前記発熱素子は、バッテリーの出力に、電気的に接続しており、該バッテリーは、二次コイルによって給電されている、請求項９５に記載のアイロンかけシステム。
【請求項９９】
前記コンタクトレス電源は、保持ラックに一体化されており、前記コードレス・アイロンは、ヘアスタイル・アイロンである、請求項９５に記載のアイロンかけシステム。
【請求項１００】
前記コンタクトレス電源は、収容可能なアイロン台に一体化されており、前記コードレス・アイロンは、コードレス衣服アイロンである、請求項９５に記載のアイロンかけシステム。
【請求項１０１】
第１の一次コイルと第２の一次コイルを有するアイロン台を提供するステップと、前記アイロン台の該第１の一次コイルと該第２の一次コイルとに誘導的に結合するために二次コイルを有するコードレス衣服アイロンを提供するステップと、第１の一次コイルと第２の一次コイルの各々を順次駆動するステップと、前記コードレス衣服アイロンが、前記駆動するステップに応じて、前記第１の一次コイルまたは前記第２の一次コイルに隣接しているかどうかを決定するステップと、前記第１の一次コイルと前記第２の一次コイルとの前記コードレス衣服アイロンに隣接している方に電力を供給するステップと、アイロン台システムを作動する方法。
【請求項１０２】
前記コードレス衣服アイロンのための所望の温度に達するまで、給電し続けるステップを更に含む請求項１０１に記載の方法。
【請求項１０３】
前記所望の温度に達したとき、前記アイロンが使用できるようになったことをユーザーに知らせるステップを更に含む請求項１０２に記載の方法。
【請求項１０４】
前記コードレス衣服アイロンにより支持された受動的識別回路を提供するステップと、複数の動作周波数にわたる時間変動電流で、前記第１および第２の一次コイルのうちの少なくとも１つを駆動するステップと、前記受動的識別回路を識別するために、前記第１および第２の一次コイルのうちの少なくとも１つにおいて電力の特性を測定するステップと、を更に含む請求項１０１に記載の方法。
【請求項１０５】
電力の前記特性は、電流と、電圧と、位相とのうちの１つを含む、請求項１０４に記載の方法。
【請求項１０６】
前記受動的識別回路は、複数の分離された共振回路のうちの１つを含む、請求項１０４に記載の方法。
【請求項１０７】
前記複数の分離された共振回路は、実質的に異なる共振周波数を規定する、請求項１０６に記載の方法。
【請求項１０８】
前記受動的識別回路は、前記二次コイルを含む、請求項１０４に記載の方法。
【請求項１０９】
一次コイルを含むコンタクトレス電源と、バッテリーに電気的に結合された二次コイルを含む携帯型発熱デバイスであって、該携帯型発熱デバイスは強磁性発熱素子と露出面を含む、携帯型発熱デバイスと、を備える発熱機器システムであって、前記強磁性発熱素子は、バッテリーの出力に、電気的に接続し、前記携帯型発熱デバイスは、表面と強磁性発熱素子の間に、発熱基盤を含み、前記コンタクトレス電源は、前記強磁性発熱素子を加熱し、同時に、前記バッテリーを充電する、発熱機器システム。
【請求項１１０】
前記バッテリーからのエネルギーは、前記強磁性発熱素子を加熱するために利用することができる、請求項１０９に記載の発熱機器システム。
【請求項１１１】
前記表面は、テフロン（登録商標）である、請求項１０９に記載の発熱機器システム。
【請求項１１２】
前記携帯型発熱デバイスは、誘導性識別プロフィールを規定する受動的識別回路を含む、請求項１０９に記載の発熱機器システム。
【請求項１１３】
前記受動的識別回路は、前記二次コイルを含む、請求項１１２に記載の発熱機器システム。
【請求項１１４】
前記受動的識別回路は、複数の分離された共振回路を含む、請求項１１２２に記載の発熱機器システム。
【請求項１１５】
複数のパッケージをスライド可能に支持する棚乗ユニットであって、該棚乗ユニットは前部を有する、棚乗ユニットと、棚乗ユニットによって支持され、前記複数のパッケージを前記棚乗ユニットの前部に圧迫するのに適応した製品プッシャーと、時間変動電磁場を生成するための、前記棚乗ユニットの前部によって支持される一次コイルと、を備える製品ディスプレイシステム。
【請求項１１６】
前記棚乗ユニットは、上面を規定し、前記一次コイルは、前記棚乗ユニット上面と概ね直角をなす重心軸を規定する、請求項１１５に記載の製品ディスプレイシステム。
【請求項１１７】
前記製品プッシャーは、前記棚乗ユニットの前部の方へバイアスされたガイド板を含む、請求項１１５に記載の製品ディスプレイシステム。
【請求項１１８】
前記棚乗ユニットの前部が、前記ガイド板から間隔をあけて、上に伸びるリップを含む、請求項１１７に記載の製品ディスプレイシステム。
【請求項１１９】
前記複数のパッケージの各々は、二次コイルを含む、請求項１１５に記載の製品ディスプレイシステム。
【請求項１２０】
前記複数のパッケージの各々は、前記対応する二次コイルを支持するためのベースを規定する、請求項１１９に記載の製品ディスプレイシステム。
【請求項１２１】
一次コイルを含む棚を提供するステップと、該棚により支持される製品を提供するステップであって、該製品は、負荷に電気的に接続した二次コイルを含む、ステップと、前記一次コイルの上に概ね横たわるように、前記二次コイルを整列させるステップと、前記負荷に無線電力のソースを提供するために、時間変動電流により前記一次コイルを駆動するステップと、を含むＰＯＳ（ｐｏｉｎｔ  ｏｆ  ｓａｌｅ）ディスプレイを制御する方法。
【請求項１２２】
前記負荷は、発光ダイオードと、ｅインク・ディスプレイと、液晶ディスプレイと、のうちの１つを含む、請求項１２１に記載の方法。
【請求項１２３】
前記棚で前部を規定するステップと、前記棚の前部の方へ前記製品をバイアスするステップと、を更に含む請求項１２１に記載の方法。
【請求項１２４】
前記棚の前部の中に、環状凹部を規定するステップと、該環状凹部の中に前記一次コイルを配置するステップと、を更に含む請求項１２３に記載の方法。
【請求項１２５】
前記製品で、ベースと、上に伸びる側壁を規定するステップであって、前記二次コイルは前記製品ベースによって支持されている、ステップを更に含む請求項１２１に記載の方法。
【請求項１２６】
前記棚の前部は、上に伸びるリップを含む、請求項１２３に記載の方法。
【請求項１２７】
二次コイルで共振周波数を規定するステップと、前記二次コイルの共振周波数に対応する動作周波数で前記一次コイルを駆動するステップと、を更に含む請求項１２１に記載の方法。
【請求項１２８】
第１の複数の製品と第２の複数の製品の各々のための、それぞれ、第１および第２の製品の列を規定する棚と、すぐ近くの棚のそばで、それぞれ、第１および第２の製品行を支持する第１および第２の一次コイルと、前記棚により支持し、第１および第２の一次コイルの上に重なる位置に、それそれ、前記第１および第２の複数の製品の各々の少なくとも１つを進めるのに適した複数の製品プッシャーと、
【請求項１２９】
前記第１および第２の複数の製品は、第１および第２のリード製品のそれぞれを含み、前記第１の一次コイルは、前記第１のリード製品の概ね下に置かれ、前記第２の一次コイルは、前記第２のリード製品の概ね下に置かれる、請求項１２８に記載のＰＯＳディスプレイ。
【請求項１３０】
前記製品プッシャーは、ガイド板とバネとを含む、請求項１２８に記載のＰＯＳディスプレイ。
【請求項１３１】
前記棚は、前記ガイド板から間隔をあけて、上へ伸びるリップを含む、請求項１３０に記載のＰＯＳディスプレイ。
【請求項１３２】
前記第１および第２の複数の製品の大多数の各々は、負荷に電気的に接続する二次コイルを有する複数のパッケージを含む、請求項１２８に記載のＰＯＳディスプレイ。
【請求項１３３】
前記負荷は、発光ダイオードと、ｅインク・ディスプレイと、液晶ディスプレイと、のうちの１つを含む、請求項１３２に記載のＰＯＳディスプレイ。
【請求項１３４】
前記負荷は、バッテリーを含む、請求項１３２に記載のＰＯＳディスプレイ。
【請求項１３５】
非導電性基盤と、該基盤により支持されており、内径を規定する第１のプリント巻き線と、該基盤により支持されており、前記負荷への接続のための第１および第２の端部分を含む第２のプリント巻き線であって、該第２のプリント巻き線は、前記第１のプリント巻き線の前記内径より小さい外径を規定する、第２のプリント巻き線と、を備える、負荷のためのプリント二次回路であって、前記第１および第２のプリント巻き線は、実質的に共軸である、プリント二次回路。
【請求項１３６】
前記基盤は、製品と製品コンテナのうちの１つに付着するのに適している、請求項１３５に記載のプリント二次回路。
【請求項１３７】
前記第１および第２の端部分は、前記第１のプリント巻き線を横切って延びている、請求項１３５に記載のプリント二次回路。
【請求項１３８】
前記第１のプリント巻き線と、前記第１および第２の端部分のそれぞれの間に入る第１の絶縁層および第２の絶縁層を更に含む請求項１３７に記載のプリント回路。
【請求項１３９】
前記第１および第２のプリント巻き線は、前記非導電性基盤の一方の面に配置される、請求項１３５に記載のプリント回路。
【請求項１４０】
前記第１および第２のプリント巻き線は、前記非導電性基盤の反対の面に、配置される、請求項１３５に記載のプリント回路。
【請求項１４１】
ＰＯＳ（ｐｏｉｎｔ  ｏｆ  ｓａｌｅ）ディスプレイによって支持され、一次タンク回路を含む誘導性リーダと、
（１）前記ＰＯＳ（ｐｏｉｎｔ  ｏｆ  ｓａｌｅ）ディスプレイに、インピーダンス素子を含む製品コンテナを追加すること、
（２）前記ＰＯＳ（ｐｏｉｎｔ  ｏｆ  ｓａｌｅ）ディスプレイから、インピーダンス素子を含む製品コンテナを除去すること、の少なくとも１つに応じて、一次タンク回路において電力の特性の変化を検出する適合する誘導性リーダと、を備える、ＰＯＳ（ｐｏｉｎｔ  ｏｆ  ｓａｌｅ）ディスプレイの製品モニター・システム。
【請求項１４２】
前記ＰＯＳ（ｐｏｉｎｔ  ｏｆ  ｓａｌｅ）ディスプレイは、複数の製品コンテナをスライド可能に支持する棚乗ユニットを含む、請求項１４１に記載の製品モニター・システム。
【請求項１４３】
前記棚乗ユニットは、深さを規定し、一次コイルを含む前記一次タンク回路は、前記棚乗ユニットの前記深さに沿って実質的に広がる、請求項１４２に記載の製品モニター・システム。
【請求項１４４】
前記棚乗ユニットは、長さを規定し、一次コイルを含む前記一次タンク回路は、前記棚乗ユニットの前記長さに沿って実質的に広がる、請求項１４２に記載の製品モニター・システム。
【請求項１４５】
電力の前記特性は、電圧と、電流と、位相とのうちの１つを含む、請求項１４１に記載の製品モニター・システム。
【請求項１４６】
累積的なインピーダンスを規定する複数の製品コンテナであって、前記誘導性リーダは、ＰＯＳ（ｐｏｉｎｔ  ｏｆ  ｓａｌｅ）ディスプレイから、複数の製品コンテナの１つを除去することに応じて、反射累積インピーダンスの減少を検出するのに適合している、複数の製品コンテナを更に備える請求項１４１に記載の製品モニター・システム。
【請求項１４７】
累積的なインピーダンスを規定する複数の製品コンテナを更に備え、前記誘導性リーダは、前記ＰＯＳ（ｐｏｉｎｔ  ｏｆ  ｓａｌｅ）ディスプレイへ、製品コンテナを追加することに応じて反射累積インピーダンスの増加を検出するのに適合している、請求項１４１に記載の製品モニター・システム。
【請求項１４８】
前記誘導性リーダは、中心ハブへの製品コンテナの追加または除去に基づいて情報を伝送するのに適合している、請求項１４１に記載の製品モニター・システム。
【請求項１４９】
前記中心ハブは、製品在庫レベルの履歴を保持するのに適合するメモリを含む、請求項１４８に記載の製品モニター・システム。
【発明の詳細な説明】
【技術分野】
【０００１】
本願発明は、販売地点および他の場所での、誘導性システムおよび方法に関するものである。
【背景技術】
【０００２】
ＰＯＳシステムは、一般に、一連の棚乗ユニットと関連標識を含むことができる。ゴンドラ棚乗ユニットは、例えば、安価で再構成可能なことから利益があり、種々の製品を展示することができる。標識は、対応する製品の販売促進をするか、さもなければ、注意をひくために、ソース情報、製品情報や販売情報を含むことができる。例えば、標識は、対応する棚乗ユニットに貼られるか、すぐ近くに配置されたプラカードを含むことができる。
【０００３】
ＰＯＳシステムは、製品パッケージの最近の改善からも利益を得た。現代の製品パッケージは、在庫管理、偽造防止や不正操作防止処置の１つの態様として、ＲＦＩＤラベルをますます利用する。製品パッケージは、また、製品仕様書、互換性情報、電力特性、ハードウェア要求をディスプレイする間にも、製品に対して確実な収納を提供することを含む、より多くの伝統的な機能に役立つことができる。
【０００４】
加えて、ＰＯＳシステムは、製品在庫をモニターするチェックアウト端末のネットワークを含むことができる。例えば、既知の在庫管理システムは、磁気ストライプ・リーダ、バーコード・リーダ、チェック受け入れシステムや詐欺検出システムを有する端末のネットワークを含む。そのような在庫管理システムは、店舗在庫が所与レベル以下に落ちたとき、あるいは、製品需要の増加を予想して製品を自動的に再発注することができる。
【０００５】
前述のＰＯＳシステムは、広く受け入れられているが、いくつかの欠点が存在する。例えば、製品と対話する能力は、多くのディスプレイとパッケージ・デザインにおいて制限されている。加えて、バッテリー充電の損失が起こることがありえる。特に、その製品が、長期間にわたり、在庫に残っているような場合である。製品量の目視検査が、ＰＯＳ（ｐｏｉｎｔ  ｏｆ  ｓａｌｅ）で必要になり得る。在庫管理は典型的にはチェックアウトで行われるが、それ以前ではないからである。
【０００６】
したがって，ＰＯＳ（ｐｏｉｎｔ  ｏｆ  ｓａｌｅ）で製品の販促、製品情報のためのシステムと方法の改良のニーズは依然として残っている。加えて、既存の在庫管理システムの利益をてこ入れし、販売地点において、自宅において、そして、他の場所において製品識別と自動的な再注文を改良する改良されたシステムと方法の継続的なニーズが残っている。
【発明の概要】
【０００７】
本発明の実施形態は、製品と製品包装の識別、電力供給、制御のための誘導性システムと方法を提供する。
【０００８】
１つの実施形態にしたがって、製品レベルをモニターするシステムと方法が提供される。このシステムは、製品レベル・センサと、インピーダンスが、残っている製品の量に基づいて変動する受動的同調回路を有する製品コンテナを含むことができる。このシステムは、受動的同調回路のインピーダンスをモニターするために、一次コイルを有する誘導性リーダを更に含むことができる。本システムは、例えば、液体、落下する可能性のある物品、シート材料のロールなどの製品レベルをモニターするように構成することができる。製品レベルが所定のレベル以下に落ちたときに、いくつかの実施形態において、追加の製品量を、自動的に再発注することができる。
【０００９】
別の実施形態にしたがって、誘導性リーダの局所的クラスタが、家庭、レストランまたは他の場所など種々の場所に、配置される。例えば、局所的クラスタは、冷蔵庫に、洗濯物室に、薬品キャビネットに、クリーニング用品クロゼットに、あるいは、クリーニング用品容器に、配置することができる。誘導性リーダは、製品の識別と残余の製品の量を決定するように動作可能であり得る。１つの実施形態においては、誘導性リーダの局所的クラスタは、所与の期間の後に残っている製品の量に基づいて、カロリーの消費をモニターすることができる。別の実施形態においては、誘導性リーダの局所的クラスタは、レシピ準備を助けることができる。さらに別の実施形態においては、誘導性リーダの局所的クラスタは、食料品置場その他における食品の残余レベルに基づいて、買い物リストを生成することができる。
【００１０】
別の実施形態にしたがって、食品加熱のためのシステムと方法が提供される。システムは、温度センサと、インピーダンスが製品コンテナの温度に基づいて変動する受動的同調回路を有する製品コンテナを含むことができる。このシステムは、製品コンテナと関連した受動的同調回路のインピーダンスをモニターする一次コイルを更に含むことができる。システムは、無線電力のソースを、温度が所望のレベルより低くなったときに、その製品コンテナと関連する発熱素子に提供するように構成することができる。いくつかの実施例において、その発熱素子は、時変電磁場に反応する強磁性材を含むことができる。他の実施形態において、その発熱素子は、前記二次タンク回路に電気的に接続していることがあり得る。
【００１１】
別の実施形態にしたがって、無線電力のソースを携帯発熱機器に提供するシステムと方法が、提供される。システムは、コンタクトレス電源と、二次コイルに電気的に関係がある発熱素子を含む携帯用機器を含むことができる１つの実施形態においては、前記発熱素子は、強磁性発熱素子である。別の実施形態においては、この携帯用機器は、コードレス・アイロンであり、コンタクトレス電源は、収納可能なアイロン台に組み込まれている。この実施形態において、コードレス・アイロンは、誘導性識別プロフィールを規定する受動的識別回路を含むことができる。
【００１２】
別の実施形態にしたがって、製品配列システムとその方法が提供される。このシステムは、無線電力のソースを製品または製品コンテナの二次コイルに提供するために１つ以上の一次コイルを有する表示面を含むことができる。このシステムは、製品または製品コンテナを、１つ以上の一次コイルによる整列位置に促すために、ガイド板を含むことができる。１つの実施形態においては、製品の列の間のリード製品だけが、１つ以上の一次コイルに整列する。別の実施形態においては、その１つ以上の一次コイルが、無線電力のソースを、ＬＥＤ、リード製品または製品コンテナと関連した、ＬＥＤ、スピーカー、バッテリー、または、他のデバイスに提供することができる。
【００１３】
別の実施形態にしたがって、無線電力のソースを製品パッケージに提供するためのシステムと方法が、提供される。そのシステムは、１つ以上の視覚素子、スピーカー素子または両方に電気的に結合された二次タンク回路を有する製品コンテナを含むことができる。この視覚素子は、１つ以上のＬＥＤ、ＯＬＥＤ、液晶ディスプレイ、および、ｅインク・ディスプレイを含むことができ、このスピーカー素子は、例えば、静電スピーカーを含むことができる。１つの実施形態においては、二次タンク回路を、製品コンテナに接着されるプリント・ラベルの上に形成することができる。プリント・ラベルは、負荷を支持している上部、および、二次タンク回路を支持している下部を含むことができ、上部分は、製品コンテナ側壁に合うようにサイズ設定することができ、そして、下部は、製品コンテナ・ベースに合うようにサイズ設定することができる。
【００１４】
別の実施形態にしたがって、製品の無線識別のシステムと方法が、提供される。システムは、複数の製品または製品コンテナを含むことができ、各々が、１つ以上の共振回路を有する。誘導性リーダは、製品または製品コンテナを、各々の共振回路の共振周波数と数字鍵に基づいて、識別することができる。この数字鍵は、各々の共振周波数に割り当てられる素数を含むことができる。１つの実施形態においては、共振回路各々は、対応する二次コイルの反射インピーダンスを選択的に変動させるためにシールド層を含むことができる。別の実施形態においては、その共振回路は、共振回路の組み合わせた反射インピーダンスを選択的に変動させるために、少なくとも部分的に互いの上に横たわる。
【００１５】
別の実施形態にしたがって、プリント二次回路が提供される。プリント二次回路は、パーフォレーションと、パーフォレーションを横切る基盤によって支持される共振回路とを規定する基盤を含むことができる。ここで、パーフォレーションに沿った基盤の分離が、プリント二次回路の誘導性識別プロフィールを変動させる。この誘導性識別プロフィールは、バッテリーが追加充電が必要なことを示すことができ、他の実施形態においては、この誘導性識別プロフィールは、製品コンテナの中の品物の所望の温度設定を示すことができる。
【００１６】
別の実施形態にしたがって、負荷のためのプリント二次回路が提供される。このプリント二次回路は、非導電性基盤と、この基盤によって支持されており内径を規定する第１のプリント巻き線と、この基盤によって支持されており内径より小さい外径を規定する第２のプリント巻き線とを含むことができる。第２のプリント巻き線は、負荷への接続のための、第１および第２の端部分を含むことができる。前記第１および第２のプリント巻き線は、実質的に共軸でありえ、その基盤は、製品または製品コンテナに付着することができる。第１および第２の端部は、第１のプリント巻き線の部分にわたって伸びることができる。前記第１および第２のプリント巻き線は、非導電性基盤の片面、あるいは、非導電性基盤の反対側に、配置することができる。
【００１７】
本願発明のこれらおよび他の優位点と特徴が、現在の実施形態と図面の記載から、より完全に理解されて、認識される。
【図面の簡単な説明】
【００１８】
【図１】誘導性製品モニタリング・システムの回路図である。
【図２】受動的な製品センサ回路を含む製品コンテナの斜視図である。
【図３】受動的な製品センサ回路を含む噴霧器アセンブリの側面図である。
【図４】誘導性製品モニタリング・システムのブロック図である。
【図５】重さセンサ回路の分解斜視図である。
【図６】図５の重さセンサ回路の回路図である。
【図７】隔壁を含む重さセンサ回路の分解斜視図である。
【図８】受動的製品センサ回路を含む圧延された製品の斜視図である。
【図９】ロール形状と受動的製品センサ回路の斜視図である。
【図１０】ロール形状のクローズアップした斜視図と図９の受動的製品センサ回路である。
【図１１】圧延された製品トレイと受動的製品センサ回路の斜視図である。
【図１２】カーブした誘導性二次回路を含む圧延された製品の斜視図である。
【図１３】家庭またはビジネスを通して種々の場所に配置された誘導性リーダのシステムの斜視図である。
【図１４】運搬荷物の斜視図である。
【図１５】製品格納デバイスマットの斜視図である。
【図１６】ＰＯＳディスプレイの斜視図である。
【図１７】誘導性リーダの作動のためのフローチャートである。
【図１８】プリント温度センサ回路の回路図である。
【図１９】誘導性ヒーター・システムの回路図である。
【図２０】再共振器コイルを含む図１９の誘導性ヒーター・システムの回路図である。
【図２１】抵抗およびバイパス素子を有する共振回路を含む、図１９の誘導性ヒーター・システムの回路図である。
【図２２】取り外し可能な引き裂きタブの上で形成される共振回路の回路の図である。
【図２３】強磁性発熱素子を含む、図２２の共振回路の図である。
【図２４】多層共振回路の側面図である。
【図２５】直列共振キャパシタが無い、図２４の共振回路の図である。
【図２６】取り外し可能な引き裂きタブのない、図２５の共振回路の図である。
【図２７】プリント・シールドを有する、図２６の共振回路の図である。
【図２８】温度センサ回路を有する誘導性ヒーター・システムの図である。
【図２９】再共振器回路を含む、図２８の誘導性ヒーター・システムの図である。
【図３０】携帯用負荷デバイスを有する誘導性ヒーター・システムの図である。
【図３１】第１および第２の再共振器回路を含む、図３０の誘導性ヒーター・システムの図である。
【図３２】温度センサ回路を有する誘導性ヒーター・システムの図である。
【図３３】再共振器回路を含む図３２の誘導性ヒーター・システムの図である。
【図３４】コンタクトレス電源を含むコードレス・アイロンとアイロン台の説明図である。
【図３５】図３４のコンタクトレス電源の図である。
【図３６】図３４のコンタクトレス電源の作動のための第１のプロセス・フローチャートである。
【図３７】図３５のコンタクトレス電源の作動のための第２のプロセス・フローチャートである。
【図３８】携帯デバイスのための誘導性発熱システムの説明図である。
【図３９】同時に加熱材料にエネルギーを与えて、バッテリーを再充電するための二次制御ユニットを含む図３８の誘導性発熱システムの説明図である。
【図４０】はきものの物品のための加熱システムの説明図である。
【図４１】ストレートヘアアイロンとカーラーヘアアイロンのための加熱システムの説明図である
【図４２】代替的実施形態にしたがった、ストレートヘアアイロンとカーラーヘアアイロンのための加熱システムの説明図である。
【図４３】代替的実施形態にしたがった、ストレートヘアアイロンとカーラーヘアアイロンのための加熱システムの説明図である。
【図４４】製品配列システムの上面図と側面図である。
【図４５】図４４の製品配列システムの第１の正面図である。
【図４６】図４４の製品配列システムの第２の正面図である。
【図４７】ＰＯＳディスプレイ・システムの回路図である。
【図４８】センサと電子回路を含む、図４７のＰＯＳ（ｐｏｉｎｔ  ｏｆ  ｓａｌｅ）ディスプレイシステムの図である。
【図４９】センサ回路を含む、図４７のＰＯＳディスプレイ・システムの図である。
【図５０】プリント・スピーカー回路の概略図である。
【図５１】多重コイル、多重周波数同調回路の概略図である。
【図５２】多重コイルと、ＬＣＤ出力を含む図５１の多重周波数同調回路との概略図である。
【図５３】図５１−５２の多重コイル多重周波数同調回路に対する、コンタクトレス電源の作動を例示している系統線図である。
【図５４】多重センサを含むＰＯＳシステムの斜視図である。
【図５５】プリント導電性接点を含む製品または製品コンテナの斜視図である。
【図５６】図５５のバッテリー容器の第１の図である。
【図５７】図５５のバッテリー容器の第２の図である。
【図５８】マイクロコントローラに制御されたコンタクトレス電源の回路図である。
【図５９】多重巻き線シールド識別回路の概略図である。
【図６０】第１のデバイス識別システムの系統図である。
【図６１】第２のデバイス識別システムの系統図である。
【図６２】パッケージの内容物を加熱するための基盤を含む図６１のデバイス識別システムの系統図である。
【図６３】プリント二次回路を含む図６１の装置識別システムの系統図である。
【図６４】第１のインク・プリント二次回路の図である。
【図６５】第２のインク・プリント二次回路の図である。
【図６６】柔軟なタブの上で形成されるプリント共振回路の図である。
【図６７】圧力スイッチを含むプリント共振回路の図である。
【図６８】抵抗素子とバイパス素子を有するプリント共振回路の回路図である。
【図６９】多層共振回路の側面図である。
【図７０】バイパス素子のない図６７のプリント共振回路の図である。
【図７１】プリント・シールドを含む図７０のプリント共振回路の図である。
【図７２】パッケージ・コンテナにより支持される第１の多層共振回路の図である。
【図７３】第２のパッケージ・コンテナによって支持される多層共振回路の図である。
【図７４】プリント・製品カウント・センサの図である。
【図７５】無線電力リーダを含む台所機器の概要図である。
【発明を実施するための形態】
【００１９】
本願発明の実施形態は、ＰＯＳ（ｐｏｉｎｔ  ｏｆ  ｓａｌｅ）、そして、他の場所の製品の識別、電力供給および制御に関係がある、無線電力システムと方法を提供する。Ｉ．製品モニター・システム
【００２０】
本願発明の第１の態様において、製品レベルをモニターするためのシステムが提供される。このシステムは、誘導性リーダと、受動的識別回路と製品量センサ回路を有する製品コンテナを含むことができる。誘導性リーダは、受動的識別回路と製品量センサ回路とのそれぞれの反射インピーダンスに基づいて製品と製品量を識別するために動作可能である。
【００２１】
第１の実施形態にしたがって、液体製品レベルをモニターするためのシステムが、図１−５に図示され、一般的に、１００で表される。このシステムは、誘導性リーダ１０２と製品コンテナ１０４を含む。誘導性リーダ１０２は、一次コイル１０６、ドライバ１０８、電流センサ１１０、マイクロコントローラ１１２、および、送信器１１４を含むことができるこのドライバ１０８は、動作周波数の範囲にわたり一次コイル１０６を駆動するために、一次コイル１０６に電気的に接続することができる。マイクロコントローラ１１２は、ドライバ出力を制御し、それにより周波数を制御するために、ドライバ１０８に電気的に接続することができる。電流センサ１１０は、任意選択的には、ホール効果電流センサは、一次コイル１０６において電流と比例した電気出力を生成する。使用において、近傍の誘導性二次コイルから反射インピーダンスをモニターしている間に、ドライバ１０８は、周波数の所定の範囲をスイープすることができる。一次コイル１０６の電流が、閾値、極大値、または電流センサ１１０で測定される他の判定基準を達成するとき、マイクロコントローラ１１２は、不揮発性メモリにおける対応する動作周波数を記録することができる。以下で説明するように、この動作周波数は、ユニークな誘導性識別プロフィール、および／または、残留する液体の測定値に対応することができる。メモリに保存されたルックアップ表を参照して、マイクロコントローラ１１２は、その液体と、残余量とを識別することができる。
【００２２】
図１にも示されるように、製品コンテナ１０４は、受動的製品識別回路１１６と、受動的製品センサ回路１１８とを含む。受動的製品識別回路１１４は、１つ以上の分離された共振回路１２０、１２２を含むことができる。コイル１２４とキャパシタ１２６を有するＬＣ回路として示される各々の分離された共振回路は、製品コンテナ１０４の誘導性識別プロフィールに貢献する。つまり、分離された共振回路１２０、１２２は、近傍の一次コイル１０６の時間変動電流に応じて、反射インピーダンスを生成することができる。誘導性リーダ１０２、特に、電流センサ１１０は、分離された共振回路１２０、１２２に対応する、一つ以上のユニークな共振周波数を識別するために、反射インピーダンスをモニターすることができる。各々の共振周波数は、調整されたインダクタンス、調整されたキャパシタンス、または両方の結果でありえる。マイクロコントローラ１１２は、コンテナ１０４を識別することができ、したがって、受動的製品識別回路１１６の検出された共振周波数を、メモリに保存されたルックアップ表と比較することによって、そのコンテンツを識別することができる。共振回路１１８、１２０のユニークな共振周波数は、また、いくつかのユニークな識別コードを作ることを可能にする。これらは、以下のパートＶＩＩで、より詳細に説明される。
【００２３】
受動的製品センサ回路１１８は、二次コイル１２８、可変抵抗器１３０、直列キャパシタ１３２を含むことができる。図示した実施例において、受動的製品センサ回路１１８の抵抗は、残っている液体の量の関数として、変動する。他の実施形態において、インダクタンス、キャパシタンス、または、その両方が変動することができる。たとえば、図２に示されるように、製品コンテナ１０４は、ベース１３４、周辺部または開口部１３８で終端する少なくとも１つの上に伸びる側壁１３６と、誘導性巻き線１４０と、誘導性巻き線１４０の対向する端部分に電気的に接続された第１および第２の導体１４２、１４４と、を更に含むことができる。第１および第２の導体１４２、１４４は、実質的に互いに平行でありえ、間隔をあけた関係にあって、概して直立でありえる。抵抗素子あるいは容量素子１４６は、また、導体１４２、１４４をわたって接続され得る。使用の間、製品コンテナ１０４は、上部レベル１４９を規定する導電性流体１４８を含むことができる。流体１４８は、液体、ジェル、または、他のいかなる充分な導電性を有する材料であることができる。例えば、その流体は、少なくとも部分的に導電性であるようにするために、十分な電解液を含むことができる。
【００２４】
誘導性巻き線１４０と、導体１４２、１４４と、抵抗素子または容量性素子１４６とは、完全に、または、部分的に、デラウェア州ウィルミントンのデュポンによるマイラ（登録商標）・フィルムのような柔軟な防水材料で、被膜することができる。誘導性巻き線１４０は、実質的に平面構成で、製品コンテナ・ベース１３４に合致した向きに置くことができる。任意選択的には、誘導性巻き線１４０は、その製造の間に、製品コンテナ１０４に一体化形成することができる。１つの実施形態においては、受動的製品センサ回路１１８は、一般に図２に示されるように、製品コンテナ１０４が形成されたあとに、製品コンテナ１０４に挿入することができる。例えば、受動的製品センサ回路１１８は、製品の購入に際してユーザーによって、製品コンテナ１０４に挿入することができる。あるいは、受動的製品センサ回路１１８は、製品コンテナ１０４の分離できる部分と一体化することができる。図３にも示されるように、受動的製品センサ回路１１８は、スプレー・ビンのための噴霧器アセンブリ１５０の一部を形成することができる。この実施形態において、導体１４２、１４４は、供給チューブ１５２の対向する側に位置する。プリントすることができ、また、追加的インクまたは被膜を用いて絶縁することができる、誘導性巻き線１４０と抵抗素子または容量性素子１４６は、供給チューブ１５０のベース１４６に配置することができる。導電性流体の濃度１４８が減少すると、受動的製品センサ回路１１８のインピーダンスは変動する。受動的製品センサ回路１１８のインピーダンスの変化は、一次誘導性リーダ１０２のコイル１０６において測定した電流に影響する。次に、マイクロプロセッサー１１２は、所定の製品のための一次コイル１０６において、残余の製品の量を決定するために、反射インピーダンスを評価することができる。例えば、マイクロプロセッサー１１２は、相対的反射インピーダンスを確立するために、受動的製品識別回路１１６のフィードバックに対する反射インピーダンスを参照することができる。相対的反射インピーダンスを使用して、マイクロプロセッサー１１２は、その特定の製品タイプに対する反射インピーダンス・テーブルにアクセスすることができる。マイクロプロセッサー１１２は、反射インピーダンス・テーブルを、そのマイクロプロセッサー１１２で記録された反射インピーダンスに対応する製品量を決定するために、使うことができる。誘導性リーダ１０２は、製品量と製品タイプを中心ハブ１６８に送るために、小出力送信器１１４とアンテナ１１５を含む。製品タイプと反射インピーダンス・データが参照テーブルに含まれない場合には、中心ハブ１６８からアクセスされるセットアップ画面ＧＵＩ（ＧＵＩ）を通して、新しいデータを、誘導性リーダ１０２にアップロードすることができる。誘導性リーダ１０２は、また、誘導性リーダ１０２と他の誘導性リーダを区別するために、所定の識別子を含むことができる。この識別子は、製品情報とともに中心ハブ１６８に送ることができる。これらと他のデータ転送は、有線によるネットワーク、無線テクノロジー、あるいは、他の適当な通信方式を通して達成することができる。
【００２５】
図４に関して、中心ハブ１６８は、製品量、製品タイプ、センサ・タイプ、基準データ、および、送信器１１４からのユニークな誘導性リーダ識別子に関する情報を受信するために、受信器１７０を含むことができる。受信器１７０は、小出力送信器１７２に接続することができ、それは、製品とリーダの情報をネットワーク・サーバ１７４に送信する。中心ハブ１６８は、セットアップ画面を介して、ユニークなユーザー・プロファイル識別子を、全体のシステムに、あるいは、個々の誘導性リーダ１０２にリンクするために、プログラムすることができる。図４にも示されるように、ネットワーク・サーバ１７４は、受信器１７６、データ・アプリケーション１７８とデータ格納器１８０を含む。受信器１７６は、送信器１７２から製品とユーザーの情報を受信する。その情報は、データ格納器１８０に送られ、データ格納器は、各々のユニークなユーザー・プロファイルに対するユーザー・アカウントを含むことができる。データ・アプリケーション１７８は、種々のアクションを取る必要があるか否かを決定するための製品量を処理するソフトウェアを含むことができる。例えば、製品の量、消費率、および、次回の店舗訪問のタイミングを、その製品を買い物リストに加えるべきか否かを決定するために、使用することができる。その製品が買い物リストに加えられる場合には、電子メールまたはテキストメッセージのアラートを、ユーザーに送り、その製品が少ないこと、その製品を、デジタル買い物リストに自動的に加えることができる、あるいは、その製品を自動的に再発注することができることを示すことができる。その製品を買い物リストに加える必要がない場合には、ネットワーク・サーバ１７４は、それでも、モニターされているすべての製品の現状レベルで、データ格納器１８０を更新することができる。これは、また、製品使用、予算編成、バリュー・ショッピング、食事およびカロリー摂取計画、製品サービス計画、処方箋追跡、に関する情報を含むことができる。この情報は、ＷＥＢページ又は、そのアプリケーションに適した他の情報システムを通して、検索可能である。
【００２６】
上述のネットワークは、小出力ネットワークであっても良い。小出力ネットワークの例が、Ｆｅｌｌｓ他による、２００９年１０月２日に出願され、「電力システム」と題された米国特許出願番号第１２／５７２２９６号に開示されており、その開示は、参照により全体が組み込まれる。加えて、二次コイルは、一次コイル１０６と、機械的なの位置合わせシステムおよび磁気的位置合わせシステムを含むこの応用に適切ないかなる位置合わせデバイスを通してでも整列することができる。しかし、これに限られるものではない。適切な位置合わせシステムの例は、Ｂａａｒｍａｎ他によって、２００９年２月２０日に出願され、「誘導結合のための磁気的位置決め」と題された米国特許出願番号第１２／３９０１７８号に開示されており、その開示は、参照により全体が組み込まれる。
【００２７】
誘導性リーダ１０２は、定期的に、たとえば、製品が入れ替えられるときに、製品１０４を「読み取」るので、極少電力センサ回路は、ピングを起動あるいは製品１０４を読むためにスイープし、次に、ハブ１６８を更新し、その後まもなくシャットダウンすることができる。振幅変調の追加により、１ビットをレファレンスとすることができる。変動している間、残りのビットの大きさは、追加的組合せを可能にする。戻り値の適切で単純な理解を確かにするために、ビット位置と、センサ分類と、参照周波数情報とともに、センサと識別子に対して、範囲を確立することができる。ビットとしての複数の周波数を用いて、共振周波数は、第１のバイナリ値を示すのに用いることができ、共振周波数が無いことが、第２のバイナリ値を示すことができる。これは、以下のパートＶＩＩで述べられるように非常に大きなシーケンスを可能にする。この識別方法は、コイルよりも多くのビット位置または周波数を使って、より多くの可能なコンビネーションを得るために、より少ないコイルを利用して強化することができる。
【００２８】
別の実施形態に従って構築された製品モニター・システムが、図５−図７に図示され、一般的に、１８２が割り当てられる。製品モニター・システム１８２は、上記に記載の製品レベル・センサ１００に類似したもので、インピーダンスが、製品の重さの関数として変動する受動的製品センサ回路１８４を追加している。
【００２９】
より詳しくは、製品重量センサ１８４は、誘導性リーダ１０２において一次コイル１０６と位置合わせされた螺旋平面二次コイル１２８を含む。電気伝導性可圧縮パッド１８６は、二次コイル１２８と平行に接続される。パッド１８６は、フォームを含むいかなる柔軟な電気伝導性材料ででもつくることが可能である。しかし、これに限定されるものではない。製品レベル・センサ回路１１８は、パッド１８６の一方の面に位置する第１の電気的接点１８８と、パッド１８６の他方の面に位置する第２の電気的接点１９０とを含むことができる。製品重量センサ１８４は、その製造の間に、製品コンテナ１０４と一体に形成することができる。代替的に、製品重量センサ１８４は、製品コンテナ１０４が形成されたあとに、製品コンテナ１０４に挿入することができる。さらに、任意選択で、図５で示すように、製品重量センサ１８４は、製品コンテナ１０４は、製品重量センサ１８４の上に配置されるように、製品コンテナ１０４の外に位置することができる。図７に示すように、製品モニター・システム１００は、製品が製品重量センサ１８４に直接接触するのを防止するために、隔膜１９２を含むことができる。製品重量センサ１８４は、アセンブリ・カバー１９４も含むことができる。
【００３０】
製品コンテナ１０４が空であるときに、製品レベル・センサ回路１１８のインピーダンスは、初期値である。製品１４８が製品コンテナ１０４に加えられるにつれて、パッド１８６の上面の上の総重量が増加する。パッド１８６が追加された製品１４８の重量で曲がるにつれて、２つの電気的接点１８８、１９０は、互いに接近する。接点１８８、１９０がお互いに近づくように動くにつれて、製品レベル・センサ回路１１８のインピーダンスが変動する。以上説明をしたように、製品レベル・センサ回路１１８のインピーダンスは、一次コイル１０６における電流測定により、モニターすることができる。製品量、製品タイプ、および、ユニークな誘導性リーダ識別子は、実質的に上のように説明した、中心ハブ１６８と、ネットワーク・サーバ１７４と送ることができる。この実施形態のバリエーションにおいて、製品レベル・センサ回路１１８は、追加された製品１４８の重量で膜が曲がるとインピーダンスが変動するような導電性膜を含むことができる。実質的に上のように説明した方法で、その変動するインピーダンスは、減少した液体量に相関することができる。
【００３１】
別の実施形態に従って構築される製品モニター・システムは、図８−図１２に図示され、一般的に、２００で表される。製品モニター・システム２００は、上記に記載の製品レベル・センサ１００に類似しており、シート材料のロール２０４からシートが除去されると、インピーダンスが変動する受動的製品センサ回路２０２の追加したものである。
【００３２】
製品ロール２０４は、ロール状の製品２０６、ロール形状２０８、少なくとも１つのパーフォレーション２１０を含むことができる。ロール形状２０８は、ボール紙または他の適当な材料の形成することができる。パーフォレーション２１０は、製品ロール２０４を分離してより小さなロールにすることを可能にする。図９−図１０に示すように、ロール状製品センサ２０２は、ロール形状２０８によって支持され、実質的に平行した方向に配置され、ロール形状２０８の長さにわたる第１および第２の導体２１２を含む。少なくとも１つの抵抗または容量性素子２１４は、製品ロール２０４の各々の穿孔セクションにおいて、その導体を接続することができる。製品ロール２０４が使用され、穿孔セクションが取り除かれると、その穿孔セクションに対して導体２１２を接続しているその抵抗または容量性素子２１４は、また、その回路から取り除かれる。抵抗または容量性素子２１４の除去は、誘導性二次コイル１２８上のインピーダンスの変化を引き起こすことができる。上記の実施形態に関して記述されるように、誘導性二次コイル１２８のインピーダンスは、誘導性リーダ１０２によって、製品量を決定するためにモニターすることができる。製品量、任意選択で製品タイプ、および、ユニークな誘導性リーダ識別子は、実質的に上のように説明した、中心ハブ１６８と、ネットワーク・サーバ１７４と送ることができる。
【００３３】
次に、図１１を参照すると、製品モニター・システム２００は、また、ロール状製品トレイ２１６を含むことができる。ロール状製品トレイ２１６は、製品ロール２０４を受けるためにサイズ設定された６つのソケット２１８を含むことができる。各々のソケット２１８は、ロール形状２０８が対応するソケット２１８の中で受け取られるとき第１および第２の導体２１２への電気的接続のために第１および第２のリード２２０を含むことができる。第１および第２のリード２２０は、実質的に平面二次コイル２２２に接続することができる。二次コイル２２２は、実質的に前述のように一次コイル２２４と位置合わせすることができる。
【００３４】
この実施形態のバリエーションが、図１２に示される。このバリエーションにおいて、受動的製品センサ回路２０２は、製品に一体化されるか、製品２０６の正面に配置された導体２１２を含むことができる。少なくとも１つの抵抗または容量性素子２１４は、導体２１２を製品２０６の個々のシートの上で任意選択的に接続する。製品が個々のシートを分離するために軸方位に穿孔されている場合には、所定数の抵抗または容量性素子２１４が、製品のシートごとに使用され得る。製品が穿孔されていない場合には、所定数の抵抗または容量性素子２１４が、製品の特定の長さに対して使用され得る。この構成において、製品が使用されると、抵抗または容量性素子２１４は、回路２０２から取り除かれ得る。抵抗または容量性素子２１４が取り除かれると、回路２０２のインピーダンスが変動することができる。図１２にも示されるように、一次コイル２２４と二次コイル２２２は、ロール形状２０８の表面の曲率と実質的に一致して、カーブしていることができる。この構成は、ロール形状２０８の内部あるいは外部表面上の二次コイル２２２のさらなるオプションの配置、および、ロール保持ラック８の内部あるいは外部表面上の一次コイル２２４の配置を可能にする。この構成に従う製品ロール２０４は、ロール状製品トレイ２１６に接続することができ、製品量を、前述のように実質的にモニターすることした。このように、図８および１２の実施形態に従うロール状製品モニター・システムは、同時に、図１１のロール状製品トレイ２１６の上に固定することができる。任意選択的には、図８および図１２の実施形態は、スタックのロールの数と、バルク・パッケージのスタックの数がモニターできるように、組み合わせることができる。ＩＩ．誘導性リーダ・システム
【００３５】
本願発明の第２の態様において、誘導性リーダの局所的クラスタは、家庭内、ビジネスまたは他の場所などの種々の場所に置かれる、誘導性リーダは、製品の同定と、残余の製品量の両方を決定するために、動作する。あるアプリケーションでは、所定の製品の使用履歴に基づいて、ユーザーに、誘導性リーダは情報を提供することができる。例えば、誘導性リーダは、栄養的な消費データを提供することができ、食料品置場またはどこか他の所における、食物供給の残余量に基づいて買い物リストを生成することができる。
【００３６】
１つの実施形態に従う誘導性リーダのシステムは、図１３−図１５に図示され、一般的に、３００で表される。システム３００は、独立して動作し、それらの製品識別、製品量およびユニークな誘導性リーダ識別子を、集中化ハブ３０２に送信する誘導性リーダの局所的クラスタを含み。集中化ハブ３０２は、製品とユーザー情報との塊を、ネットワーク・サーバ３０４に、例えばＷｉ−Ｆｉ広帯域ルータとモデム３０６など、いかなる適当なデバイスを通してでも、送ることができる。
【００３７】
誘導性リーダは、家庭や、ビジネスまたは他の場所など種々の場所にあるかもしれない。リーダは、冷蔵庫収納面３０８内、キャビネ収納面３１０内、シャワー収納面３１２内、洗濯物室収納面３１４内、そして、種々の製品３１８を読むための運搬具３１６にあるかもしれない、各々のリーダは、中心ハブ３０２のためのセットアップＧＵＩにおいて、ユニークなプロフィール識別子によって表現することができる。図１５に示すように、移動型収納マット３２０は、種々の場所に一時的に配置することができる。収納マット３２０と、他のいかなる誘導性リーダも、各々の製品の量を識別して、決定するのに少なくとも１つの一次コイル１０６が各々の製品パッケージと十分に位置合わせされるように、複数の一次コイル１０６を含むことができる。製品パッケージにおける二次コイル１２８は、前述のように実質的に位置合わせシステムを使用して一次コイル１０６と位置合わせすることができる。上で説明したように、誘導性リーダは、製品を識別し、製品量を決定し、中心ハブ３０２に、誘導性リーダ識別子とともにこの情報を送ることができる。中心ハブ３０２は、製品情報とユーザー情報をネットワーク・サーバ３０４に送ることができ、ネットワーク・サーバは、その情報をコンピュータ３２２、携帯電子デバイス３２４、または他のネットワーク・サーバに、広帯域インターネット接続または、電子データを移すための他のいかなる通信アーキテクチャを通しても、送ることができる。
【００３８】
誘導性リーダの局所的クラスタは、また、家庭で消費される食料に関係する摂取または他の栄養的なデータを決定するために食料貯蔵場所や調理機器をモニターするのに、使用することができる。この構成において、上記のパートＩにみられるデータ・アプリケーション１７８は、一定時間に消費した総カロリー、一定時間に消費された平均カロリーや、他の有用な栄養情報を計算するために、製品量を取り扱うソフトウェアを含むことができる。データ・アプリケーションは、また、例えば、他の種々の個人の健康指標とホームセキュリティーをモニターすることができる。
【００３９】
図１６に示すような別のバリエーションにおいては、食料品店、デパートまたは他の同様の企業のディスプレイ３３０は、誘導性リーダ１０２を備えていることができる。ディスプレイ・ユニットに位置する製品の数に関して誘導性リーダ１０２によって収集されたデータは、在庫を追従し、アクティブ・ディスプレイ標識を駆動し、または、店舗の購入部門の追加注文を引き起こすのに用いることができる。任意選択的には、ディスプレイ・ユニット３３０は、棚と他の従来のディスプレイ面３３２を含むことができ、誘導性リーダ１０２の一次コイル３３４が、例えば、ディスプレイ棚３３２の中など、ディスプレイ面３３２の表面に接して配置される。図１５にも図示されるように、ディスプレイ・ユニット３３０は、ディスプレイ・ユニット３３０の表面の下に、垂直に、または、水平に延びる一つの卵型の一次巻線３３４を含むことができる。あるいは、棚乗ユニット３３０の表面の下に配置される複数の一次コイル３３４を含むことができる。棚乗ユニットは、電力を誘導的に自身で受けることができる、あるいは、従来のコンセントの接続を通して電力を受けることができる。
【００４０】
別の実施形態においては、ＰＯＳ（ｐｏｉｎｔ  ｏｆ  ｓａｌｅ）ディスプレイ３３２のためにシステムをモニターしている製品誘導性リーダ１０２と複数の製品コンテナ１０４を含み、各々は、ＰＯＳ（ｐｏｉｎｔ  ｏｆ  ｓａｌｅ）ディスプレイによってを任意選択的に支持される。誘導性リーダ１０２は、一次タンク回路を含むことができ、製品コンテナ１０４の各々は、インピーダンス素子を含むことができる。誘導性リーダ１０２は、（１）ＰＯＳ（ｐｏｉｎｔ  ｏｆ  ｓａｌｅ）ディスプレイに対するインピーダンス素子を含む製品コンテナを追加すること、および／または、（２）ＰＯＳ（ｐｏｉｎｔ  ｏｆ  ｓａｌｅ）ディスプレイからの複数の製品コンテナの少なくとも１つを除去すること、に応答して一次タンク回路の電力の特性における変化を検出するのに適することができる。この電力の特性は、電圧、電流と位相のうちの１つを含むことができる。複数の製品コンテナ１０４は、累積的なインピーダンスを定めることができ、誘導性リーダ１０２は、その一次タンク回路の電力の特性における変化に対応する反射累積インピーダンスにおける変化を検出するのに適することができる。例えば、誘導性リーダ１０２は、誘導性リーダ１０２の近傍における製品コンテナ１０４（任意選択的に、他の製品コンテナの間）の配置に応じた累積的な反射インピーダンスにおける増加を検出することができる。誘導性リーダ１０２は、また、誘導性リーダ１０２の近傍からの製品コンテナ１０４の除去に応じての累積的な反射インピーダンスにおける減少を検出することもできるインピーダンス素子は、例えば、容量性素子、誘導性素子または抵抗素子を含むことができる。任意選択的には、インピーダンス素子は、たとえば、二次コイルと直列キャパシタを有する受動的識別回路１１６など、二次回路１１６の一部を形成することができる。インピーダンスは、複数の製品コンテナ１０４の各々に対して同じでありえる、あるいは、互いに異なることがあり得る。ＰＯＳ（ｐｏｉｎｔ  ｏｆ  ｓａｌｅ）ディスプレイは、複数の製品コンテナを支持する棚乗ユニットまたは壁掛けラック３３２、または、他のデバイスを含むことができるＰＯＳ（ｐｏｉｎｔ  ｏｆ  ｓａｌｅ）ディスプレイは、深さ、幅や高さを定めることができ、一つ以上の行またはカラムに沿って同時に製品をモニターするために、一次タンク回路は、実質的に、ＰＯＳ（ｐｏｉｎｔ  ｏｆ  ｓａｌｅ）ディスプレイの深さ、幅や高さのそれぞれに沿って延びる一次コイル３３４を含むことができる。誘導性リーダ１０２は、中心ハブ１６８に対する累積的な反射インピーダンスに基づいて情報を送信するのに適合することができる。中心ハブ１６８は、製品コンテナ１０４が、ＰＯＳ（ｐｏｉｎｔ  ｏｆ  ｓａｌｅ）ディスプレイに加えられるか、あるいは、それから取り外されるときに、製品在庫レベルの履歴を保持するのに適応したメモリを含むことができる。製品モニター・システムは、また、以下のパートＶで、より詳細に述べられるように、一次コイル６２４と関連する電源６３２と連動して使用することができる。例えば、製品モニター・システムは、ＰＯＳディスプレイ３３２の上で製品レベルの在庫をモニターするための誘導性リーダ���０２と、実質的に電力をＰＯＳディスプレイ３３２の上のリード製品だけに提供するためのコンタクトレス電源６２４とを含むことができる。
【００４１】
上述の製品モニター・システムは、アプリケーション全体の広範囲にわたって利用することができる。例えば、中心ハブ１６８、ネットワーク・サーバ１７４または他のデータ・ロガーは、誘導性リーダ１０２のネットワークと連絡して、モニタリング期間を通して、たとえば２４時間のモニタリング間、ＰＯＳ（ｐｏｉｎｔ  ｏｆ  ｓａｌｅ）在庫レベルを記録することができる。記録されたＰＯＳ（ｐｏｉｎｔ  ｏｆ  ｓａｌｅ）在庫レベルは、製品補充にトリガーをかけるのに用いることがでる。ＰＯＳ（ｐｏｉｎｔ  ｏｆ  ｓａｌｅ）在庫水準が所定の量以下になる場合には、特にそうである。記録されたＰＯＳ（ｐｏｉｎｔ  ｏｆ  ｓａｌｅ）在庫水準は、ＰＯＳ（ｐｏｉｎｔ  ｏｆ  ｓａｌｅ）のディスプレイにおいて、製品コンテナが望ましい数より少ない期間を追跡するのにも用いことができる。この情報は、例えば、その製品が店の棚の上に継続的にストックされているか否かに関心がある製造者に提供することができる。記録されたＰＯＳ（ｐｏｉｎｔ  ｏｆ  ｓａｌｅ）在庫レベルは、その使用期限によって製品の販売を追跡するのに用いることもでき、期限がきたか、近づいている製品を取り除くか、ディスカウントするトリガーをかけることができる。記録されたＰＯＳ（ｐｏｉｎｔ  ｏｆ  ｓａｌｅ）在庫レベルは、例えば、製品識別子、誘導性リーダ・識別子、使用期限や棚乗ユニットによって分類される製品量レベルを含むことができる、ＰＯＳ（ｐｏｉｎｔ  ｏｆ  ｓａｌｅ）のための製品コンテナに関して上述したが、製品モニター・システムは、たとえば、倉庫在庫、組立プラント、包装処理を含む、他のアプリケーションで利用することもでき、コンテナとは別に、製品に注目することができる。
【００４２】
追加的な実施形態は、チェックアウト端末、洗濯機器、ストーブやマイクロ波機器と結合した、誘導性リーダ１０２を含む。例えば、チェックアウト端末は、任意選択で、従来のバーコード・リーダを置き換えるか、補強する、誘導性リーダ１０２を含むことができる。誘導性リーダ１０２は、共振周波数または、１つ以上の関連する共振回路１２０の反射インピーダンスに基づいて製品を識別する複数の周波数で動作可能な一つ以上の一次コイル１０６を含むことができる。次に、誘導性リーダは、前記複数のリーダ回路動作周波数の１つにおよそ対応する共振回路の共振周波数に応答して項目を識別することができる本願発明の更なる利点として、一次コイルは、セキュリティ・タグを無効にするために利用することができる。代替的に、選択やドライヤー・ユニットは、対応する衣類タグに印刷された誘導性識別回路を有する衣類を識別するために、誘導性リーダを含むことができる。この実施形態は、また、先に述べたように中心ハブと結合して、特定の衣料品の追跡を容易にすることができる。
【００４３】
１つ以上の誘導性リーダ１０２も、また、マイクロ波、クッキングレンジ、台所調理台を含む、種々の他の機器または場所と組み合わせて、使用することができる。繰り返すと、誘導性リーダは、食料品置場や冷蔵庫から取り除かれるときに、食物の栄養価値をモニターし、集計することができる。例えば、システム３００は、決まった家庭のために、周期的にカロリーの消費量値を計算することができる。代替的に、または追加的に、システム３００は、レシピの準備を支援することができる。例えば、ユーザーは、レシピを、レシピ・ラベルに貼られた受動的識別回路１１６を用いて、ストーブと関連する誘導性リーダにアップロードすることができる。次に、コンピュータは、材料の組合せ、レシピに従う料理の時間をモニターし、与えられた材料を、いつ、どれだけ加えるべきか指示を与えることができる。材料が消費されると、コンピュータは、補充のために食料品のリストを編集することができる。
【００４４】
誘導性リーダ・システム３００に対する、製品レベルのスイープ回路を図示しているフローチャートが、図１６に示されている。システムは、ステップ３４０の起動状態から始まる。ステップ３４２において、システム３００は、製品識別のために各々の一次コイル３３４をスイープする。共振周波数に出会うと、一次コイル３３４の電流のレベルは、製品識別コイルのフィードバックまたは平均的フィードバックにより確立したベースライン電流よりも増加することができる。次に、システムは、ステップ３４４に存在する製品識別があるかどうか問い合せる。ステップ３４４で識別された製品が一次コイル３３４の近傍にない場合には、ネットワークは、ステップ３４６において所定の時間スリープする。識別が示す製品があるならば、ネットワークは、ステップ３４８において、残っている各々の製品の量を決定する次に、ネットワークは、製品識別と、各々の製品の量と、任意選択的に、ユニークな誘導性リーダ識別子とを、ハブに、ステップ３５０において、送る。ＩＩＩ．製品コンテナ・ヒーター・システム
【００４５】
本願発明の第３の態様に従って、製品コンテナを加熱するためのシステムが提供される。そのシステムは、受動的識別回路と、製品コンテナおよび／またはそのコンテンツの温度に基づいてインピーダンスが変動する受動的温度感知回路を有する製品コンテナを含むことができる。このシステムは、受動的識別回路の反射インピーダンスをモニターして適しているコンタクトレス電源供給と、受動的温度感知回路とを更に含むことができる。製品コンテナは、食品材料、飲料品、油、塗り薬クリーム、あるいは、所望のいかなる形の他の品物をも支持するためのいかなるコンテナでも含むことができる。製品コンテナに関係すると記述されているが、実施形態は、また、携帯用機器の用途に用いるようにも適している。例えば、パートＩＶでより詳細に述べるカーラーヘアアイロンまたはストレートヘアアイロンなどである。
【００４６】
次に、図１８を参照すると、温度感知回路３６２と強磁性材料３６４を含むもととして、コンテナ３６０が示されている。熱い飲料のためのコンテナとして示されているが、コンテナ３６０は、例えば、食品、ローション、血清と治療軟膏、などに関連して利用することができる。いくつかの実施例において、コンテナ３６０自体は、強磁性材料３６４から形成することができ、他の実施形態においては、強磁性材料３６４は、コンテナ３６０の表面に適用することができる。コンテナ３６０は、また、任意選択的に、強磁性材料３６４を実質的に取り囲む、例えば、ポリスチレン・フォーム材またはボール紙材料含む、一つ以上の遮断材を含むこともできる。この遮断材は、強磁性材料３６４温度感知回路３６２、の一つ以上または両方の表面で、保護層を形成するために、カリフォルニア、アーヴィングのヘンケル社によるＥＬＥＣＴＲＯＤＡＧ（登録商標）誘電体インクなどの誘電インクを含むこともできる。
【００４７】
温度感知回路３６２は、柔軟な非導電性基盤の上に、形成することができ、誘導性素子３６６、直列共振キャパシタ３６８、直列可変抵抗器３７０を含むことができる。誘導性素子３６６は、プリント・トレース巻き線を含むことができ、そして、直列共振キャパシタ３６８は、温度感知回路３６２が、コンタクトレス電源の駆動または動作周波数に対応する共振周波数を含むようにキャパシタンスを有するように選択することができる。誘導性素子３６６や他のプリント導体素子は、メリーランド、ジェサップのＶｏｒｂｅｃｋ  Ｍａｔｅｒｉａｌｓ社によるＶｏｒｉｎｋ（登録商標）から形成することができる。可変型レジスタ３７０は、サーミスタまたは、コンテナ３６０またはそのコンテンツの温度の関数として抵抗を有する他の素子を含むことができる。非導電性基盤は、たとえば感圧接着剤（ＰＳＡ）などの粘着財を使用して、コンテナ３６０の外部面に適用することができる。
【００４８】
現在の実施形態において、コンタクトレス電源は、コンテナ３６０に少なくとも間接的に電力を供給し、任意選択的に直接、コンテナ・コンテンツを加熱する。特に、コンタクトレス電源は、温度センサ回路３６０の反射インピーダンスをモニタリングの間に、周波数の所定の範囲でスイープすることによって、追加加熱が望ましいか、どの程度にか、を決定することができる。サーミスタ３７０の抵抗が温度で大きく変動することができるので（一般的には標準抵抗器以上）、コンタクトレス電源は、動作周波数の範囲にわたるコンタクトレス電源一次タンク回路での電流や電圧におけるバリエーションを感知する。一次タンク回路の電流が閾値を通過するときに、コンタクトレス電源のコントローラは、イベントが起こったときの周波数を記録することができ、そして、その周波数をコンテナ３６０の温度、あるいは、ルックアップ表を使用してそのコンテンツに関連させることができる。コンテナ３６０あるいはそのコンテンツの温度が、所望の温度より低いと決定されるときに、このコンタクトレス電源は、強磁性材料３６４と対応するコンテナ・コンテンツとを加熱する一次タンク回路にわたって適切な時間変動電圧を提供することができる。
【００４９】
本発明の別の態様に従った、製品コンテナまたは携帯デバイスのための誘導性発熱システムが、図１９−図２０に図示されている。誘導性発熱システムは、コンタクトレス電源３８０と製品コンテナ４００を含む。コンタクトレス電源３８０は、電源３８２と、電源３８２の出力に電気的に結合されるインバータ３８４と、直列キャパシタ３８６と一次コイル３８８を含むタンク回路とを含む。加えて、コントローラ３９０は、電気幹線入力、電源３８２、インバータ３８４、そして、一次コイル３８８に印加される電力の特性を制御するためのタンク回路と電気的に接続している。特に、コントローラ３９０は、一次コイル３８８において電力が生成される周波数を選択的に制御する。作動において、コンタクトレス電源３８０は、識別周波数の一次コイル３８８に電力を印加する。そして、次に電流センサまたは電圧センサを使用して製品コンテナの反射インピーダンスを評価する。製品コンテナ４００が識別周波数において共振周波数を持つならば、コンタクトレス電源３８０は、製品コンテナ４００の中で直接または間接的に加熱素子に給電するメモリから操作用パラメータを回復することができる。
【００５０】
現在の実施形態において、製品コンテナ４００は、３つの分離された共振回路４０２、４０４、４０６、および、強磁性材料４０８を含む強磁性材料４０８は、厚板、細片、製品コンテナ４００のまたは表面の上のコーティングの形であってもよい。代替的に、製品コンテナ４００自体を、強磁性材料で形成することができる。強磁性材料４０８は、誘導性磁場に対して反応を起こさせない異なったキュリー−点温度を含むことができ、加熱されているデバイスまたはパッケージを効果的に最大温度にすることができる。材料と特異性キュリー−点熱の選択は、用途に対して特化しており、製品は、特定の温度を要求する状況において、あるいは、最大温度が、安全の理由のために管理されなければならない状況において有益である。以上説明をしたように、コンタクトレス電源３８０は、一次コイル３８８における電流、電圧または位相をモニターしている間に、周波数の所定の範囲でスイープすることによって、製品コンテナ４００のアイデンティティを決定する。製品コンテナ４００における分離された共振回路４０２、４０４、４０６は、一次コイル３８８に印加される周波数に依存して、コンタクトレス電源３８０に対して異なるように反応する。共振コイル４０２、４０４、４０６の異なる反応は、一次コイル３８８における電流、電圧または位相を変化させる。例えば、一次コイル３８８の電流が閾値を上回るとき、あるいは、極大値または他の判定基準を達成するときに、コントローラ３９０は、そのイベントが起こった周波数を記録することができる。周波数の範囲でスイープすることによって、コンタクトレス電源３９０は、分離された共振回路４０２、４０４、４０６の各々の共振周波数を任意選択的に含む誘導性識別プロフィールを決定し、記録することができる、そして、次に、コントローラ３９０は誘導性識別プロフィールを、パートＶＩＩに記載のユニークなデバイスまたはパッケージ識別コードに翻訳することができる。次に、コンタクトレス電源３８０は、コンテナ４００とその中のコンテンツの特定の必要によって電力をコンテナ４００に提供するために、識別コードを利用する。次に、コンタクトレス電源３８０によって適用される電力は、製品コンテナ３８０を加熱する強磁性細片４０８の中の渦電流を誘導することができる。任意選択的に図２０に示されるように、コンタクトレス電源３８０は、形状、焦点に作用し、製品コンテナ４００のアライメントの空間自由を増やすために製品コンテナ４００を加熱するときに、誘導性磁場強度を再分配するか、押し上げる分離した再共振器コイル３９２、および、コンタクトレス電源３８０を含むことができる。
【００５１】
図２１−図２２で示す別の実施形態において、分離された共振回路４０２、４０４、４０６は、それぞれ、抵抗素子４１０を短絡させるために、直列抵抗素子４１０とバイパス素子４１２を含む。抵抗素子４１０とバイパス素子４１２の構成は、製造でセットすることもでき、ベンダーによって、あるいは、製品コンテナ４００のエンドユーザによって選択可能であることもできる。例えば、物理スイッチは、バイパス素子４１２の状態を選ぶために使用することができる。物理スイッチは、押しボタン、多極スライダ・スイッチ、または多極ロータリスイッチであってもよい。代替的に、分離された共振回路４０２、４０４、４０６は、非導電性基盤４１４の上で伝導性インクから形成し、そこで、一部の非導電性基盤４１４の残りのパッケージ４００からの分離に応じて、バイパス素子４１２が、オープンにできるパッケージ４００の一部を形成することができる。これらは、保護インクの別の層、ラベルまたはコーティングによって封止されることができる、ユーザーがバイパス素子４１４のうちの１つをオープンにすることを望む場合には、ユーザーは、パーフォレーション４１６に沿ってパッケージの指定された部分を引き離すことができる。下の表１に示されるように、共振回路４０２、４０４、４０６の状態は、製品コンテナ４００の中での食品の望ましい温度を示すことができる。「高い」は、ユーザーによってオープンにされた対応する共振回路のバイパス素子を示す。
【表１】
2013533522.tif 000003
【００５２】
任意選択的に、図２３に示されるように、分離された共振回路４２０は、非導電性基盤４３０の上に形成されたトレース巻き線４２２、プリント・インク・キャパシタ４２４、カーボン・プリント抵抗素子４２６、基盤４３０の孔を空けた部分の上で形成されたバイパス素子４２８、そして、プリント・インク絶縁層４３４にわたるトレース巻き線の端部分を相互接続するプリント・インク・ジャンパー４３２を含むことができる。基盤の一部は、引き裂きタブ４３６を含み、それを除去すると、バイパス素子４２８をオープンにして電流がカーボン・プリント・レジスタ４２６を通して、流れるのを可能にする。このように、分離された共振回路４２０の反射インピーダンスを変動する。上に述べたような方法で、コンタクトレス電源３８０は、共振周波数または分離された共振回路４２０の反射インピーダンスに基づいて、製品コンテナ４００を識別することができ、製品コンテナ４００から引き裂きタブ４３６の有無に基づいて、誘導性電力を発熱素子４０８に提供することができる。この実施形態は、例えば、望ましい熱量を、製品コンテナ４００の中で含まれた、例えば、スープの缶など食品に提供するのに役に立つ。温度は、製品ＩＤによりまず最初に、セットすることができ、その選択は、この基準レベルに対するオフセットを可能にする。加えて、分離された共振回路は、図２４で示すように、梱包材の上で互いに重ねることができる。図２４に示すように、分離された共振回路４０２、４０４、４０６は、絶縁インク４３８の対応する層によって切り離される。任意選択で図２５に示されるように、分離された共振回路４２０は、オプションのプリント・インク共振コンデンサーを含まない。複数の共振回路は、小さな空間の中に、絶縁層と複数の回路層を利用して、プリントすることができる。そのうえ、図２６で示すように、強磁性材料４０８は、コアを形成することができる、あるいは、別々の強磁性コアとともに使うことができる。この実施形態において、引き裂きタブ４３６とプリント・インク・キャパシタ４２４は、分離された共振回路４２０における、任意選択の編入を例示するために省略される。図２７の分離された共振回路４２０は、分離された共振回路４４０と一次コイル３８８と間の誘導的結合を強化するために、プリント・シールド材料４４０を更に含めることができる。シールド材は、金属パッケージと組み合わせて、コイルを金属パッケージから分離するために、利用することができる。例えば、シールド・インクは、金属パッケージからコイルを保護することができる金属粉を含むことができる。これらのインクの中に非導電性粉の装填することは、磁気または金属特性の特定タイプとともにシールド特性にインパクトを与えることができる。
【００５３】
図２８−図２９で示す別の実施形態において、コンタクトレス電源３８０は、電力を、たとえば製品コンテナなど携帯デバイス４００に、間接的に携帯デバイス４００の表面を加熱するために提供する。この実施形態において、携帯デバイスは、二次タンク回路と、二次タンク回路の出力に接続される調整及び充電用副回路４４６と、調整及び充電用副回路４４６の出力に接続されるバッテリー４４８と、バッテリー４４８の出力に接続される加熱素子４５０と、導通によって発熱素子４５０から熱を受け取るための加熱可能表面４５２と、加熱可能表面４５２の温度を検出し出力を有する温度センサ４５４と、温度センサ４５４の出力に接続されるコントローラ４５６とを形成するために、二次コイル４４２と直列共振キャパシタ４４４を含む。この実施形態において、コンタクトレス電源３８０は、図１８−図２１に関連して前述したように、強磁性材料を直接加熱しない。そのかわりに、コンタクトレス電源３８０は、ヒーター４５０と加熱可能表面４５２を作動するために、対応する電力を供給するバッテリー４４８を充電するために、携帯デバイス４００に電力を供給する。この実施形態において、デバイス４００がコンタクトレス電源３８０のごく近傍にないときに、ヒーター４５０は、動き続けることができる。任意選択的に、図２９に示されるように、コンタクトレス電源３８０は、形状、焦点に作用し、デバイス４００と、コンタクトレス電源３８０のアライメントの空間自由を増やすためにデバイス４００に給電するとき、誘導性磁場強度を再分配するか、押し上げる分離した再共振器コイル３９２を含むことができる。その上、充電と加熱は、同時に起こることがありえる。
【００５４】
図３０−図３１に示す別の実施形態において、携帯デバイス４００、たとえば製品コンテナは、３つの分離された共振回路４６０、４６２、４６４と、ポータブル・デバイス負荷４６６とを含む。この実施形態において、コンタクトレス電源３８０は、分離された共振回路４６０、４６２、４６４の反射インピーダンスにしたがって、二次タンク回路４６８を用いて、電力を携帯型負荷４６６に提供する。図２１に関連して上に記載されたように、各々の分離された共振回路４６０、４６２、４６４は、抵抗素子４７０とバイパス素子４７２を含む。クローズ状態であるとき、バイパス素子４７２は、抵抗素子４７０を効果的にショートさせ、対応する分離された共振回路のインピーダンスを効果的に変動させる。次に、分離された共振回路のインピーダンスの変化に基づいてコンタクトレス電源３８０は電力を遠隔装置４００に提供することができる。例えば、共振回路４６０、４６２、４６４の「ｎ」数の状態は、２ｎ電力レベルのうちどれが携帯デバイス４００に適用されなければならないかについて示すことができる。下記の表２に示すように、「０」は、対応する共振回路のバイパス素子が、非導電性状態にあることを示し、「１」は、対応する共振回路のバイパス素子が、伝導状態にあることを示す。
【表２】
2013533522.tif 000004
【００５５】
所望の電力レベルが選択されると、それは、一次コイル３８８における、動作周波数、振幅、デューティ・サイクル、パルス幅、位相または電力の他の特性を含むことができ、コンタクトレス電源３８０は、図２８−図２９に関連して先に述べたように実質的に携帯デバイスの表面を加熱する電力を携帯デバイス４００に提供する。任意選択的に、図３１に示されるように、コンタクトレス電源３８０は、形状、焦点に作用し、遠隔装置４００のアライメントの空間自由を増やすために遠隔装置４００を加熱するときに、誘導性磁場強度を再分配するか、押し上げる分離した再共振器回路３９２、および、コンタクトレス電源３８０を含むことができる。同様に、遠隔装置４００は、コンタクトレス電源３８０によって生成される誘導性分野の受信を強化するために、直列共振回路として示される、再共振器回路４７４を含むことができる。
【００５６】
図３２−図３３に示す別の実施形態において、遠隔装置または製品コンテナ４００は、共振温度センサ回路４６８を含む。この実施形態において、共振温度センサ回路４６８は、二次コイル４４２、直列キャパシタ４４４、および、温度センサ４５４を含む。温度センサは、熱電対、熱電対の出力に接続される変換器、および、変換器の出力に接続される可変インピーダンス素子を含むことができる。作動において、強磁性材料４５２の温度の変化は、共振温度センサ回路４６８のインピーダンスの変化の結果となる。この実施形態において、コンタクトレス電源３８０は、共振温度センサ回路４６８の反射インピーダンスにおける、変化を検出するために使用可能であり、強磁性材料４５２の温度の対応する変化を識別し、必要に応じて電力出力を調節する。任意選択的に、図３３に示されるように、コンタクトレス電源３８０は、形状、焦点に作用し、遠隔装置４００のアライメントのために空間自由を増やすために適切な遠隔装置４００を加熱するときに、誘導性磁場強度を再分配するか、押し上げる分離した再共振器回路３９２、および、コンタクトレス電源３８０を含むことができる。
【００５７】
図７５に示す別の実施形態において、共振温度回路４６８は、食品材料の範囲内に含まれる。以上の図３２−図３３との関係で述べられるように、共振温度回路４６８は、熱電対、熱電対の出力に接続される変換器、そして、変換器の出力に接続される可変インピーダンス素子を含むことができる。作動において、食品材料の温度の変化は、共振温度センサ回路４６８のインピーダンスにおける変化という結果になり得る。この実施形態において、無線電力リーダ・コイル４８０は、共振温度センサ回路４６８の反射インピーダンスにおける変化を検出するために使用可能であり、食品材料の温度の対応する変化を識別する。いくつかの実施例において、食品材料は、無線電力システム、および、図１８−３３に関連して上記に記載の方法によって加熱することができる。他の実施形態において、食品材料は、従来法によって加熱することができる。例えば、無線電力リーダ・コイル４８０は、たとえばガスレンジまたは電気レンジなど、電子レンジ４８２やストーブ・トップ４８４の一部を形成することができる。食物が所望の温度に近づくと、無線電力リーダ・コイル４８０は、出力を、マイクロ波やストーブと関連した、コントローラに送ることができる。この事については、マイクロ波またはストーブ・コントローラは、食品材料の過度は調理を防止することために、マイクロ波またはストーブのシャット・オフ動作が可能である。追加的に、コントローラは、食品材料を十分に加熱調理しないことを防止するために、共振温度センサ回路４６８の出力をモニターすることができる。共振温度センサ回路４６８が食品材料の温度を直接モニターするように、上で記述されたが、あるアプリケーションでは、間接的に食品材料の温度をモニターすることが望ましいことがありえる。例えば、共振温度センサ回路４６８は、ベーキングパン、フライパン、ポット、その他、単独で、または、その中で含まれる食品材料の温度と組み合わせて温度をモニターすることもできる。これらや他のアプリケーションにおいて、マイクロ波遮蔽物を供給するが、潜在的に共振温度回路４６８をマイクロ波または他の電磁放射などから孤立させるために、望ましいことであることがありえる。さもなければ、それは、例えば、無線電力リーダ・コイル４８０の作動のじゃまをするかもしれない。
ＩＶ．携帯デバイス・ヒーター・システム
【００５８】
本願発明の別の態様において、無線電力のソースを携帯発熱機器に提供するためのシステムが、図３４−図３７に図示されており、一般的に５００と表される。システムは、その特定電力ニーズに基づいて電力を携帯用機器５２０に提供するために適切なコンタクトレス電源５１０を一般的に含む。
【００５９】
図３４−図３５で示す１つの実施形態において、コンタクトレス電源５１０は、電力をコードレス衣服アイロン５２０に提供するために、収納可能なアイロン台５０２のそばで支持される。コンタクトレス電源５１０は、コードレス・アイロン５２０の中で含まれる二次コイルで帰納的に５２２を結合する一つ以上の一次コイル５１２を含むことができる。アイロン５２０、５２６は、二次コイル５２２の出力に電気的に接続される一つ以上の発熱素子５２４を含むことができる、セラミック加熱基盤５２８は、たとえば、デラウェア、ウィルミントンのデュポンによるテフロン（登録商標）など非粘着表面５３０と、一つ以上の発熱素子５２４、５２６との間に位置することができる、アイロン５２０は、以上の図１８で述べたように実質的に強磁性発熱素子を含むこともできる例えば、内部のバッテリーを充電している間に強磁性材料を加熱することは、デバイスがコンタクトレス電源５１０から取り除かれるときに、貯蔵エネルギーを発熱素子５２４、５２６が後で使うことを可能とする。
【００６０】
コンタクトレス電源５１０の作動は、図３６−図３７を参照して理解することができる。コンタクトレス電源５１０は、加熱、電力供給、バッテリー充電、および／または、上記のパートＩ〜ＩＩＩに記載の識別子とセンサを読みだすのに用いることができる。例えば、コンタクトレス電源５１０を作動する１つの方法は、ステップ５４０とステップ５４２において、第１の一次コイルを駆動することでシステムを初期化することを含む。ステップ５４４において、コンタクトレス電源５１０は、コードレス・アイロンまたは他の携帯デバイスが、図１９−２０に関連して先に述べたように、実質的に、第１の一次コイル５１２に隣接しているかどうか決定することができる。アイロン５１０が存在するならば、ステップ５４６において、電源５１０は、第１の一次コイル５１２に電力を提供することができる。決定ステップ５４４において、アイロン５２０が存在しないならば、電源５１０は、ステップ５４８において第２の一次コイル５１４を駆動することができる。アイロンが第２の一次コイル５１４の近傍に存在する場合には、電源５１０は、ステップ５５０で電力を第２の一次コイル５１４に提供することができる。しかしながら、アイロンが、存在しない場合には、電源５１０は、同様に、次の一次コイルを試してみる。したがって，コンタクトレス電源５１０は、コードレス・アイロン５４０の近傍のそれらの一次コイルのみに電力を供給する順序でそのアイロン掛けボード５０２と関連する各々の一次コイルを試してみることができる図３７にも示されるように、コンタクトレス電源５１０は、携帯デバイス５２０、あるいは、この場合は、アイロンが、コンタクトレス電源の近傍であるかどうか、・最初に評価することができる。ステップ５５４において、スタートボタンが、ユーザーによって押されるか、あるいは、アイロン５２０がコンタクトレス電源５１０の近傍であるならば、コンタクトレス電源は、電力を所望の一次コイル５１２に、コードレス・アイロン５４０のアイロン掛け表面を加熱するために、印加する。決定ステップ５５６において、電源５１０は、図２８−図２９に関連して先に述べたように、実質的に、アイロン掛け表面が、使用の準備ができているかどうか（例えば、望ましい温度であるか）を決定することができる。アイロン掛け表面が使用のための準備ができていないならば、プロセスは、ステップ５５６において、同じことを繰り返す。しかしながら、アイロン掛け表面が、使用の準備ができているならば、アイロン台５１０またはアイロン５２０上のディスプレイが、プロセス・ステップ５６０で示すようにアイロンが使用の準備ができていることを、ユーザーにたいして、視覚または聴覚での標示を供給する。
【００６１】
上記のパートＩＩＩにみられるように、コンタクトレス電源は、携帯デバイスのアイデンティティに関して基づいて、または一つ以上の分離された共振回路の状態に基づいて電力を携帯デバイスに提供することができる。繰り返すと、いくつかの実施例において、携帯デバイス５２０は、コンタクトレス電源５１０の一次コイル５１２によって、直接エネルギーを与えられる強磁性材料５７０を含むことができる。図３８で示すように。他の実施形態において、図３９に示すように、携帯デバイス５２０は、代替的に、電気的にバッテリー５８４の出力に接続している加熱素子５７２を含むことができるバッテリー自体は、コンタクトレス電源５１０の一次コイル５１２と連結される二次コイル５８０によって、給電される。これらの実施形態において、コンタクトレス電源５１０は、同時に電力を二次コイル５８０に提供する間に、携帯デバイス５２０の中で熱を生成するために、強磁性材料５７０を間接的に加熱するコンタクトレス電源５１０は、先に述べたようにセンサと選択スイッチから後ろ向きにデータを読むこともできる。図４０に示すように、発熱素子５８２は、例えばブーツ挿入物などはきものの物品の全体または一部を含むことができる発熱素子５８２がはきもの５８６の物品に配置されるときに、コンタクトレス電源が５８８をマット近傍のとき、はきもの５８６の物品の除湿を速めるために発熱素子５８２が加熱する。図４１−図４３にも示されるように、コンタクトレス電源は、５１０は、ヘアスタイル・アイロン５９０を加熱するために利用することができる。コンタクトレス電源５１０は、実質的に、上に説明したように、ヘアスタイル・アイロン５９０を識別して、電力供給するために、ラック５９２を保持するいろいろなデバイスに取り込むことができる。
【００６２】
繰り返すと、発熱機器システム５００は、コンタクトレス電源５１０、携帯型発熱デバイス５２０を含むことができ、コンタクトレス電源５１０は、一次コイル５１２を含むことができ、そして、携帯型発熱デバイス５２０は、バッテリーに電気的に接続した二次コイル５２２を含むことができる。携帯型発熱デバイス５２０は、強磁性発熱素子５２４と露出面５３０を更に含むことができる。ここで、強磁性発熱素子５２４は、バッテリーの出力に電気的に接続している。発熱基盤５２８は、露出面５３０と発熱素子５２４の間に位置することができ、ここで、コンタクトレス電源は、強磁性材料を加熱し、同時に、バッテリーを充電する。バッテリーからのエネルギーは、強磁性発熱素子５２４を加熱するために利用することもできる。携帯型発熱デバイス５２０は、誘導性識別プロフィールを規定し、任意選択で、二次コイル５２２を含む受動的識別回路を更に含むことができる。
Ｖ．製品アライメント・システム
【００６３】
本願発明の別の態様によると、製品配列システムが図４４−図４６に図示されて、一般的に６００と表される。下に開示されるように、製品アライメント・システム６００は、ディスプレイ面の一次コイルと製品または製品パッケージの二次コイルの間の連結定数を改善することができる。
【００６４】
次に、図４４を参照すると、製品アライメント・システム６００は、ディスプレイ面６０６、および、複数の製品または製品コンテナ６２０、６２２を含む。ディスプレイ面６０６は、細長い、任意選択的に下方へ傾斜している支持部材または棚６０８、横に間隔をあけられ、上方へ広がっているガイドレール６１０、６１２、および、リード製品６２０、６２２の前方へ、横へ、上方へ広がっているリップ６１４によって規定された各々の行を有する複数の行を支持することができる。この各々の行は、バネ６１６と、製品６２０、６２２をリード製品が各々の行６０４、６０６から取り除かれると、ディスプレイ面６０２の前の部分の方に進めるための横のガイド板６１８、を含むことができる。代替的に、または組合せで、各々の製品６２０、６２２は、リード製品が取り除かれると、ディスプレイラックの前の部分の方へ重力が加えられえる。この場合、バネ６１６とガイド板６１８は、供給されても、されなくてもよい。
【００６５】
図４４にも示されるように、ディスプレイ面６０６は、第１および第２の一次コイル６２４、６２６を含む。第１および第２の一次コイル６２４、６２６は、各々が、ディスプレイ面６０６において、対応する環状凹部の中で受けとった水平に配置されたコイルを含むことができる。任意選択的には、各々の一次コイル６２４、６２６は、電力を各々の行のリード製品に供給するために、下にある行の一番前の部分に配置されており、加えて、各々の一次コイル６２４、６２６は、上方へ伸びているか、上方に伸びるリップ６１４に沿って、または、それの中にある第１および第２の導体片６２８、６３０に電気的に接続される関連電源６３２を含むことができる。各々の行の一番前の部分における重量起動センサは、リード製品の有無を検出することができ、それによって、対応する電源の作動を起動させるか、さもなければ開始する。製品６２０、６２２は、各々二次コイル６３４、６３６を含むことができ、任意選択的に、プリント・トレース巻き線とプリント二次タンク回路を含むことができる。
【００６６】
各々のリード製品が対応する行から取り除かれると、バネ６１６とガイド板６１８は、一番前の製品を、一次コイル６２４、６２６に重なる位置に、進める。それによって一次コイル６２４、６２６と、二次コイル６３４、６３６との間の連結定数を改良する。任意選択的には、リード製品と関連した二次コイルは、ディスプレイ面６０６において、一貫して、または、ほとんど一貫して一次コイルの上に重なる。この点において、製品配列システム６００は、消費者にとって、見えやすくて、簡単にアクセスしやすい位置に製品を進め、同時に、一方で、無線電力のソースを一つ以上の製品ＬＥＤ、ＯＬＥＤ、液晶ディスプレイ、スピーカー、バッテリー、または、他のリード製品またはその包装と関連したデバイスに提供する。加えて、製品アライメント・システム６００は、各々のリード製品が、購入の前に十分に装填されることを確実にすることができる。そして、上に説明したように、そのような製品の識別、追跡と再発注を援助することができる。
【００６７】
現在の実施形態は、図４５−図４６に参照してさらに理解することができる。ここで、製品配列システム６００は、各々の他から間隔をあけた第１および第２の平行したディスプレイ面６４０、６４２含む。各々のディスプレイ面６４０、６４０は、各々のトップ製品の基礎をなしているディスプレイ面の前の部分で、６４２は一次コイルを含むことができる。例えば、一次コイルは、下にあるディスプレイ面の一番前の部分に、電力を実質的にリード製品だけに、例えば、ディスプレイ面の上の一番前の品物に提供するために配置されることがありえるディスプレイ面６４０、６４２は、ディスプレイ棚または小売と食品雑貨店で共通の端キャップを構成することができる。ディスプレイ面６４０、６４２は、製品、製品コンテナや製品ディスプレイを含む複数の品物を支持することができる。例えば、下のディスプレイ面６４０は、第１および第２の品物６４４、６４６を含むことができ、そして、上のディスプレイ面６４６は、第３、第４および第５の品物６４８、６５０、６５２を含むことができる。各々の品物は、一つ以上の内部あるいは外部エネルギー蓄積装置、例えばバッテリーまたはキャパシタを含むことができる。代替的に、これらの品物は、通常エネルギー蓄積装置と関連していない製品を含むことができる。例えば、その品物は、異なるサイズ設定をされたか、あるいは、一様にサイズ設定をされたシリアル製品の集合を含むことができる。
【００６８】
図４６に関連して上で述べたように、各々の一次コイル６２４、６２６は、電力を、対応するリード品物と関連した二次コイル６３４に提供することができる。二次コイル６３４は、無線電力を受けるのに適しているどんな回路でも含むことができる。例えば、二次コイル６３４は、粘着剤またはＰＳＡを含む柔軟な、非導電性基盤の上に形成されたプリント・タンク回路を含むことができるこのように、二次コイル６３４は、製品または製品パッケージへの接続のために第１および第２の電気的接点を含む薄型のステッカーの上で形成されることができる。
【００６９】
製品または製品パッケージ６２０は、多くの方法で二次回路に移送される電力を利用することができる。例えば、二次コイル６３４は、電力を、整流ＬＥＤの中の負荷、バッテリー、スピーカー回路、および／または、ＬＥＤシーケンス、ＯＬＥＤ、液晶画面またはｅインク・ディスプレイに提供することができる。対応するデバイスの制御は、それが、バッテリー、ＬＥＤ、スピーカー、ｅインク・表示、あるいは、他のデバイス、であっても、下のパートＶＩで記述される方法で、複数の分離された共振回路を使って達成されることができる。代替的に、対応する負荷の制御は、前記異なる負荷の間で、電力を変える一つ以上のマイクロコントローラに制御されたスイッチと組み合わせて一つの二次コイルだけで達成されることができる。
【００７０】
再び図４５−図４６を参照すると、電源６３２は、製品または製品パッケージの少なくとも１つの態様を制御することができる。例えば、第１の状態において、シリアルの箱として示される、各々のパッケージは、ｅインク・グラフィックを含むことができる。図４５において、ｅインク・グラフィックは、各々の穀類の箱の前面で同一の広がりをもつように比例したサイズにされる。このように、グラフィックは、５回、あるいは、シリアルの先導する箱ごとに一度、繰り返される。図４６に示すように、しかしながら、シリアルの各々の箱のためのｅインク・グラフィックは、電源６３２に応じて変動することができる。例えば、穀類の箱のためのディスプレイ面は、全てのグラフィックがディスプレイ面の上にちょうど全体がはまるように、５箱のシリアルの上で釣り合いをとっている各々一部の元のグラフィックだけを含むことができる。大きさを変更することに加えて、グラフィクスは、アニメーションまたは照明することができ、全体のグラフィックまたはその部分だけを含む。このように、製品がディスプレイ面に残っている間に、パッケージ・グラフィクスを変動させることができる。グラフィクスは、任意選択的に、コンタクトレス電源を使ってアップロードされている。加えて、ｅインク・グラフィクスは、自動的に製品パッケージあるいは、標識を、販売または季節と一致するように、変更するのに用いることができる、あるいは、他の可能性がある任意数の要因に基づいて製品パッケージまたは標識を自動的に変更することができる。現在の実施形態は、任意選択的にプリント・スピーカー回路、識別回路、および、以下のパートＶＩで、より完全に議論される他の実施形態とともに、ＰＯＳ（ｐｏｉｎｔ  ｏｆ  ｓａｌｅ）のパッケージを促進するか、さもなければ注意をひくために、視覚出力を生成するために適切である。
【００７１】
繰り返すと、製品配列システム６００は、複数のパッケージ６２０、６２２、をスライド可能に支持する棚乗ユニット６０６、棚乗ユニットによって支持されて、複数のパッケージ６２０を、棚乗ユニット６０６の前部の方へ、進めるのに適している製品プッシャー６１６、６２２、および、時間変動電磁場を生成するための、棚乗ユニット６０６の前部によって支持される一次コイル６２４を含むことができる。一次コイル６２４は、棚乗ユニット上面と概ね直角をなす中心軸を定めることができる。ガイド板６１８は、複数のパッケージ６２０、６２２を、棚乗ユニットの前部の上へ伸びてきるリップ６１４の方へバイアスすることができる。パッケージの各々は、負荷に電気的に接続した二次コイル６２４を支持するためのベースを定めることもできる。製品配列システムを制御する対応する方法は、一次コイル６２４、６２６を含む棚を供給すること、棚により支持され、負荷に接続した二次コイルを有する製品を供給すること、一次コイルの上に横たわる二次コイルを位置合わせすること、そして、負荷に無線電力のソースを提供するために、時間変動電流で一次コイルを駆動することを含むことができる。上記したように、この負荷は、例えば、ＬＥＤ、ｅインク・ディスプレイと、液晶ディスプレイと、電子発光ディスプレイと、静電スピーカーまたはバッテリーと、のうちの１つを含むことができる。この方法は、二次コイルの共振周波数に対応する動作周波数で一次コイルを駆動するステップを更に含むことができる。
ＶＩ．誘導性製品と製品パッケージ・システム
【００７２】
本願発明の別の態様によると、無線電力のソースを、製品パッケージと関係している一つ以上の負荷に提供するためのシステムが提供される。そのシステムは、１つ以上の視覚素子、スピーカー素子または両方に直接または間接的に結合された二次タンク回路を有する製品コンテナを含むことができる。
【００７３】
次に、図４７を参照すると、システムは、近くの製品や製品パッケージ７２０と関連する二次回路に活発に反応するために、ディスプレイ面と関連するコンタクトレス電源７００を含む。パート  ＩＩＩ〜ＩＶで開示された誘導性発熱システムに関連して上で説明されたように、コンタクトレス電源７００は、パッケージ７２０および／または受動的な誘導性コミュニケーションを通してのそのコンテンツを識別するために使用可能である。識別と認証と同時に、コンタクトレス電源７００は、所定のプロフィールによって電力をパッケージ７２０に提供することができる。代替的に、識別と認証と同時に、コンタクトレス電源７００は、受動的な通信モードからアクティブな通信モードにスイッチすることができる。そこでは、製品または製品コンテナ７２０の中で二次回路によって送られたデータ信号にしたがって電力を提供する。製品に関連して記述される所で、本願発明は、その包装に関連して利用することもできる。同様に、そこで包装に関連して下記を記述したが、本願発明は、製品それ自体と接続して利用することができる。
【００７４】
再び図４７を参照すると、コンタクトレス電源７００は、電源７０２、電源７０２の出力に電気的に結合されたインバータ７０４、および、直列キャパシタ７０６と一次コイル７０８を含むタンク回路を含む。加えて、コントローラ７１０は、電気幹線入力、電源７０２、インバータ７０４、および、一次コイル７０８に印加される電力の特性を制御するためのタンク回路と電気的に接続している。１つの実施形態においては、コントローラ７１０は、一次コイル７０８において電力が生成される周波数を選択的に制御する。他の実施形態において、コントローラは、位相、振幅、デューティ・サイクル、パルス幅や他の一次コイルの時変電流の特性を選択的に制御する、作動において、コンタクトレス電源７００は、電力を、識別周波数において、一次コイル７０８に印加し、次に、例えば、電流センサまたは電圧センサを用いて、一次タンク回路で反射インピーダンスを評価する製品コンテナ７２０が動作周波数で共振周波数を持つならば、所定のプロフィールによって電力を製品コンテナ７２０に提供するために、コンタクトレス電源７００は、メモリから操作用パラメータを回復することができる。加えて、コンタクトレス電源７００は、形状、焦点に作用し、製品コンテナ７２０とコンタクトレス電源７００とのアライメントの空間自由を増やすために製品コンテナ７２０で結合されたときに、誘導性磁場強度を再分配するか、押し上げる孤立した再共振器コイル７１２を任意選択的に含むことができる。
【００７５】
図４７にも示されるように、製品コンテナ７２０は、３つの分離された共振回路７２２、７２４、７２６を含む。以上説明をしたように、コンタクトレス電源７００は、一次コイル７０８の電流をモニターしている間に、動作周波数の所定の範囲でスイープすることによって製品コンテナ７２０のアイデンティティを決定する。一次コイル７０８の電流が閾値を通過するときに、あるいは、極大値または他の判定基準を達成するときに、コントローラ７１０は、そのイベントが起こった周波数を記録することができる。周波数の範囲でスイープすることによって、コンタクトレス電源７０２は、分離された共振回路７２２、７２４、７２６の各々の共振周波数決定し、記録することができる。共振周波数の有無は、データ・ビットと考えられる。次に、コントローラ７１０はそれらの周波数を、ユニークなデバイスまたはパッケージ識別コードに翻訳することができる識別コードは、所定の共振識別子プレースホルダーの中のバイナリまたは一連の選択でありえる。次に、コンテナ７２０とその中のコンテンツの特定の必要によって電力をコンテナ７２０に提供するために、コンタクトレス電源７００は識別コードを利用する。例えば、コンタクトレス電源７００によって適用される電力は、一つ以上のＬＥＤ、液晶ディスプレイ、または製品または外部パッケージの上のｅインク・ディスプレイを照明するために利用することができる。その場合には、固定的な電力出力が適用される。ディスプレイ、音や他の機能を制御するためのマイクロプロセッサーは、また、包装に含むことができる。代替的に、コンタクトレス電源７００によって適用される電力は、製品の中に含まれる蓄電池またはキャパシタを充電するために、利用されることができるその際、コンタクトレス電源７００は、共振周波数または、その製品または製品パッケージ７２０と関連する二次回路の反射インピーダンスに基づいて可変的な量の電力を供給することができる。この例において、電力が、品物をＰＯＳ（ｐｏｉｎｔ  ｏｆ  ｓａｌｅ）ディスプレイから除去する前に、蓄電池を満タンにするために使用される。さらに別の例においては、ＰＯＳ（ｐｏｉｎｔ  ｏｆ  ｓａｌｅ）ディスプレイは、例えば、音楽プレーヤーまたは携帯ＧＰＳデバイスなどの電子デバイスを含んでいるパッケージを含むことができる。この種のデバイスは、特定電力ニーズによって再充電することができ、コンタクトレス電源７００からデータを受け取ることができる。例えば、そのパッキングの内部にまだあるか、または、ＰＯＳ（ｐｏｉｎｔ  ｏｆ  ｓａｌｅ）ディスプレイの上にまだある間に、最新のオペレーティングシステムを、そのデバイスに誘導的にアップロードすることができる。代替的に、コンタクトレス電源７００は、歌、写真、ゲーム、ビデオまたはマップを含む媒体の他の形をアップロードすることができる。
【００７６】
図４８に示す別の実施形態において、製品または製品パッケージ７２０は、３つの分離された共振回路７２２、７２４、７２６、二次タンク回路７３０および、アクティブ電子負荷７２８を含む、この実施形態において、コンタクトレス電源７００は、先に述べたように、実質的に図４７に関連した分離された共振回路７２２、７２４、７２６の反射インピーダンスによって、製品を識別する。次に、製品または製品パッケージ７２０におけるアクティブ電子負荷７２８に、製品または製品パッケージ７２０に適切なレートで電力を供給するために、コンタクトレス電源７００は対応する識別コードを使う。あるいは、図４９に示されるように、製品または製品包装７２０は、センサ回路７３２を含む。この実施形態において、センサ回路７３２は、二次コイル７３４、直列キャパシタ７３６、および、可変インピーダンス素子を含むセンサ７３８を含む。作動において、センサ出力のバリエーションは、センサ回路７３２のインピーダンスの変化という結果になる。コンタクトレス電源７００は、センサ回路７３２の反射インピーダンスにおける変化を検出するために使用可能であり、電力出力を調節するために、さらに使用可能である。図４９にも示されるように、コンタクトレス電源７００は、たとえば、形状、焦点に作用し、パッケージ７２０とコンタクトレス電源７００のアライメントのための空間自由を増やすためにパッケージ７２０と誘導結合しているとき、誘導性磁場強度を再分配するか、押し上げるＬＣ回路など、孤立した再共振器回路７１２を含むことができる。
【００７７】
別の実施形態においては、製品または製品コンテナは、コンタクトレス電源７００によって駆動可能な薄型の静電スピーカーを含むプリント・スピーカー回路７５０を含むことができる。次に、図５０を参照すると、プリント・スピーカー回路７５０は、二次タンク回路７５２、および、二次タンク回路７５２に電気的に接続する静電スピーカー７５４を含む。二次タンク回路７５２は、誘導性素子７５６と、直列共振キャパシタ７５８を含む。誘導性素子７５６は、プリント・トレース巻き線を含むことができ、直列共振キャパシタ７５８は、コンタクトレス電源７００のドライブまたは動作周波数に対応するように二次タンク回路７５２が共振周波数を含むように、選ぶことができる。二次タンク回路７５０は、製品７２０の外部面に適用されるフレキシブル非導電性基盤上に、粘着剤を任意選択的に使用して形成することができる。二次タンク回路７５２は、第１および第２の電気的接点７６０、７６２を、任意選択的に、静電スピーカー７５４の部分との直接の電気的接点において、更に含むことができる。
【００７８】
静電スピーカー７５４は、支持的な導電板７６４と、支持的な導電板７６４と間隔をあけた薄い導電性膜７６６、そして、その間に配置した絶縁体７６８を含む、支持的な導電板７６４は、二次タンク回路７５２の第１の電気的接点７６０に接続可能である電気伝導性の静止した部材である薄い導電性膜７６６は、静電荷を保持するために適当な導電性コーティングを有する可撓膜である。薄い導電性膜７６６は、二次タンク回路７５２の第２の電気的接点７６２に電気的に接続される。図５０にも示されるように、絶縁体７６８は、支持的な導電板７６４を、間隔をあけた導電性膜７６６から、切り離し、支持的な導電板７６４と同一の広がりをもつ。
【００７９】
作動において、コンタクトレス電源は、静電スピーカー７５４を駆動する二次タンク回路７５２で周波数や振幅変調波形を誘導する。時間変動電圧として、第１および第２の電気的接点７６０、７６２全体で適用される、波形は、支持的な導電板７６４を駆動する。それは可変に、荷電膜７６６を引きつけるか、反発して、膜７６６を支持的な導電板７６４の方へ、または、それから離れて移動させる。導電性膜７６６の動きは、周波数や振幅変調波形にしたがって、音を生成する。任意選択的には、スピーカーは、第１の支持的な導電板７６４の反対側に、第２の電気的接点７６２と電気的に結合された薄い導電性膜７６６から間隔をあけて、第２の支持的な導電板を含むことができる。加えて、例えばバッテリーまたはキャパシタなどのエネルギー蓄積装置は、二次タンク回路７５２とスピーカー７５４の間に、電気的に接続することができる。そのバッテリーまたはキャパシタは、スピーカー７５４のための駆動回路（図示せず）に給電するために使用可能である。
【００８０】
使用において、スピーカー回路７５４は、コンタクトレス電源から無線電力を受け取るために適当な対応するパッケージの上で、または、その中で、どんな場所にでも置くことができる。コンタクトレス電源は、上記のパートＶに記載されているように、実質的に、ＰＯＳ（ｐｏｉｎｔ  ｏｆ  ｓａｌｅ）ディスプレイと関係していることがありえるこの例において、コンタクトレス電源は、パッケージ７２０が、ディスプレイの一番前の部分にあるときに、二次タンク回路７５２でＡＣ音声信号を誘導する。その結果、スピーカー７５２は、プロモートする、または、さもなければ、ＰＯＳ（ｐｏｉｎｔ  ｏｆ  ｓａｌｅ）でパッケージ７２０に注意をひく、音声出力を生成する。
【００８１】
別の実施形態においては、製品または製品コンテナ７２０は、図５１−５２に示されており、一般的に７７０を割り当てられる多重コイル多重周波数同調回路を含むことができる。同調回路７７０は、複数のプリント回路を含み、対応する動作周波数で共振するように、各々が調整される。同調回路７７０は、製品、製品包装またはＰＯＳ（ｐｏｉｎｔ  ｏｆ  ｓａｌｅ）ディスプレイと関連したＬＥＤのシーケンスを照明するのに用いることができる。
【００８２】
次に、図５１を参照すると、３−コイル−３−周波数同調回路７７０は、第１、第２および第３のプリント回路７７２、７７４、７７６を含む。各々のプリント回路は、誘導性素子７７８、直列共振キャパシタ７８０、ＬＥＤ  ７８２および直列抵抗型負荷７８４を含む。誘導性素子７７８は、先に述べたように、実質的にプリント・トレース巻き線またはコイルを含むことができる。直列共振キャパシタ７８０は、各プリント回路７７２、７７４、７７６は、駆動することと一致している共振周波数あるいは、コンタクトレス電源の動作周波数を含むように、選ぶことができる。各々のプリント回路の共振周波数は、例えば、コンタクトレス電源動作周波数が変動すると、各々のＬＥＤ  ７８２のシーケンシャルな照明を可能にするように、互いと異なることができる。ＬＥＤを含むと記載したが、各々のプリント回路は、電子発光ディスプレイ、ｅインク・ディスプレイ、液晶ディスプレイ７８６、あるいは、他のいかなる適当なディスプレイをも含むことができる。３−コイル−３−周波数同調回路７７０は、たとえば圧力感知性粘着剤など、粘着剤を用いて製品の外部面に適用されるフレキシブル非導電性基盤上に形成することができる。
【００８３】
図５３は、図５１−図５２の多重コイル多重周波数同調回路７７０に関連してコンタクトレス電源７００の操作を例示しているフローチャートを含む。シーケンスがステップ７９０において始まり、そして、ステップ７９２において、コンタクトレス電源７００は、第１の動作周波数で、第１の期間に一次タンク回路を駆動する。ステップ７９４において、コンタクトレス電源は、第２の動作周波数で、第２の期間に一次タンク回路を駆動する。ステップ７９６において、コンタクトレス電源は、第３の動作周波数で、第３の期間に一次タンク回路を駆動する。第１、第２および第３の動作周波数は、通常、互いに異なっているが、第１、第２および第３の期間は、互いに、実質的に同一のままでもよい（図５３において、”ｘ”で示される）ことに留意する。加えて、第１、第２および第３の動作周波数は、通常、第１、第２および第３のプリント回路７７２、７７４、７７６の共振周波数に対応する。それぞれの共振周波数おいて、コンタクトレス電源と対応するプリント回路７７２、７７４、７７６の間でのパワー伝達において結果として生じる増加に反応して、対応するＬＥＤが照明する。
【００８４】
再び図５３に戻ると、決定ステップ７９８において、コンタクトレス電源が、任意選択的に、受動的赤外線運動センサ、または、他の適当なデバイスを使用して、製品の近傍で動作が検出されるかどうかを決定する。ステップ７９８で動作が検出されるならば、シーケンスはステップ８００に進み、タイマーがリセットされ、そして、ステップ７９０、７９２、７９４、７９６が繰り返される。しかしながら、ステップ７９８において、動作が検出されない場合には、コンタクトレス電源は、タイマーが期限切れになったかどうかを、ステップ８０２において決定する。タイマーが期限切れにならなかったならば、コンタクトレス電源は、第１、第２および第３のＬＥＤを照明する、ステップ７９２、７９４と７９６を繰り返す。しかしながら、タイマーが実際に期限切れになり、更なる動作が検出されないならば、コンタクトレス電源は、ステップ８０６においてスタンバイモードに入り、ステップ８０４において、動作のモニターを行う。動作がステップ８０６で検出されるならば、シーケンスは、ステップ７９０において、それ自体を繰り返す。
【００８５】
多重コイル多重周波数同調回路がＬＥＤに関係していると上で記載されているが、多重コイル多重周波数同調回路は、代替的に、ＬＣＤ、電子発光ディスプレイ、ｅインク・ディスプレイまたは他の適当なディスプレイに関するものでありえる。加えて、各々の誘導性素子７７８の固有の抵抗は、プリント回路７７２、７７４、７７６におけるレジスタの必要を除くことができる。一方、誘導性素子の選択、または、同調は、同様に、同調コンデンサ７８０の必要を除くことができる。販売地点において、任意選択的に、ここに開示されるプリント・スピーカー回路または他の実施形態とともに、パッケージに注意を引くか、プロモートするために、ＬＥＤは視覚出力を生成する。
【００８６】
図５４に示す別の実施形態において、製品コンテナ７２０は、キャップまたはふた８１０を含み、ディスプレイ面の中に置かれるコンタクトレス電源７００によって、キャップまたはふた８１０の除去は、検出される。この実施形態において、前記製品コンテナ７２０は、非導電性基盤８１２の上で伝導性インクの形成される直列共振回路を含む。ここで、基盤は、一部のキャップまたはふた８１０、および、製品コンテナ７２０の部分にわたる。直列共振回路は、抵抗素子とスイッチを含み、クローズされるとき、スイッチが抵抗素子を短絡させるために使用可能である。キャップまたはふた８１０は、製品コンテナ７２０から取り除かれると、スイッチをオープンにする。直列共振回路のインピーダンスの結果として生じる変化は、製品コンテナ７２０からのキャップまたはふたの除去を示すコンタクトレス電源７００によって検出される。加えて、重級数共振回路は、一つの製品コンテナ７２０に組み込むことができる。例えば、製品コンテナ７２０は、先に述べたように、孔を空けたタブに加えて第１および第２の圧力センサ８１４、８１６を含むことができる。図５４に示すこの例において、第１の圧力センサ８１４は、製品コンテナ・コンテンツが無くなったことを示すために、製品コンテナ７２０のベースにある。そして、第２の圧力センサ８１６は、ユーザーをひきつけることを目的とする場所の製品コンテナ７２０の表面にある。圧力センサ８１４、８１６の作動は、一つ以上の直列共振回路のインピーダンスを変動するために動作する。それは実質的に前述のようにコンタクトレス電源７００によって検出される。
【００８７】
図５５−５７に示す別の実施形態において、製品コンテナ７２０は、第１および第２の導電性接点８２２、８２４と、その出力が、第１および第２の導電性接点８２２、８２４に供給される前であるとの条件つきである８２４と二次コイル８２６を含むボール紙タブ８２０を含む。図５６−５７に示すように、導電性接点８２２、８２４は、第１および第２の導電性接点８２２、  ８２４の間に蓄電池を配置できるように、バッテリー容器８２８の範囲内に配置することができる。この点において、コンタクトレス電源７００は、ＰＯＳ（ｐｏｉｎｔ  ｏｆ  ｓａｌｅ）ディスプレイからのそれを除去する前に、製品または製品パッケージ７２０の中に含まれるバッテリーを再充電するために使用可能である。図５６−図５７に示すように、製品コンテナ７２０は、圧力マイクロスイッチ８３２を、押圧されるとき、バッテリー・テスト回路を作動するオーバーラベル８３４の内に含むことができる。圧力スイッチ８３２が押されるときに、ＬＥＤ８３２または他の適当な低出力ビジュアル、オーディオ、または触覚フィードバック要素を、バッテリー充電ステータスの指示ために使用することができる。オーバーラベル８３４がユーザーによって押されると、オーバーラベル８３４の下側に印刷された導電性配線８３８は、バッテリー・テスト回路をクローズし、それは次に、パッケージ外部上でＬＥＤ８３０を照明する。したがって，ＰＯＳ（ｐｏｉｎｔ  ｏｆ  ｓａｌｅ）ディスプレイシステムは、製品または製品コンテナの中に含まれるバッテリーを再充電する力を提供する。そのうえ、チャージ・ステータスのユーザーに、対応する内部のバッテリーの可視指示を供給する。
【００８８】
製品または製品コンテナ７２０に電力を供給するコンタクトレス電源７００の別の実施形態が、図５８に示されている。コンタクトレス電源７００は、電源８４０、インバータ８４２、インバータ・ドライバ８４４、センサ８４６、および、コントローラ８４８を含むことができる。また、インバータ８４２とセンサ８４６は、共振コンデンサー８５０、一次コイル・コネクタ８５２に接続することができる。一次コイル・コネクタ８５２は、一次コイル（図示せず）に接続することができる。共振コンデンサー８５０と一次コイルは、図４７に関して、上述の共振コンデンサー７０６と一次コイル７０８と同様のタンク回路を形成することができる。インバータ８４２は、共振コンデンサー８５０と、遠隔装置と誘導的に結合するための一次コイルとを駆動するために、出力信号を供給することができ、また、インバータ・ドライバ８４４は、インタフェースを供給するために、コントローラ８４８とインバータ８４２の間に回路を含むことができる。したがって，インバータ・ドライバ８４４を通して、コントローラ８４８は、インバータ８４２の出力、および、誘導性遠隔装置との誘導結合のパラメータを制御することができる。コントローラ８４８は、センサ８４６からセンサ情報を受け取って、インバータ８４２を制御するためにプロセッサーと関連したインタフェース回路構成を含むことができる。コントローラ８４８は、センサ８４６から受けたセンサ情報に基づいてインバータ８４２の出力を制御することができる。いくつかの実施例において、コントローラ８４８は、また、情報を送信するか、制御信号を送るために、コネクタを用いて、外部コンポーネントと入出力を行うことができる。現在の実施形態において、センサ８４６は、インバータ８４２、共振コンデンサー８５０、そして、一次コイル８５２の出力の測定特性のために、電流センサ回路と電圧センサ回路を含むことができる。例えば、センサ８４６は、一次コイル８５２を通して電流を測定することができる。別の例において、センサ８４６は、（１）インバータ８４２からの電圧出力と、（２）共振コンデンサー８５０と一次コイル８５２の間での電圧との間の位相差を示すことができる。現在の実施形態の電源８４０は、電気幹線入力８５４からの電力を受けることができ、コンタクトレス電源７００に電力を供給できる。コントローラ８４８、インバータ・ドライバ８４４、インバータ８４２、そして、センサ８４６の各々は、電源８４０から適当な電力を受け取ることができる。例えば、コントローラ８４８は、実質的に、５ＶＤＣを受けることができ、インバータ８４２は、別の電圧を、電力を遠隔装置へ転送することで受けることができる。低電圧配電システムの更なる例が、Ｂａａｒｍａｎにより、２０１０年６月１日に出願された、「Ｗｉｒｅｌｅｓｓ  Ｐｏｗｅｒ  Ｄｉｓｔｒｉｂｕｔｉｏｎ  ａｎｄ  Ｃｏｎｔｒｏｌ  Ｓｙｓｔｅｍ」と題された、米国特許出願番号第１２／７９１５６０号に開示されている。その開示は、参照により全体が組み込まれる。
【００８９】
上記の実施形態において、電子回路は、個別部品またはチップを使用して、プリント回路基板材料の上に構築することができる。代替的に、回路は、紙、プラスチックまたは他の適当な基盤などに印刷される伝導性インクから構築することができる。加えて、抵抗性、容量性、誘導性コンポーネントは、従来の個別部品は減らすか、回路からまったく除くように基盤に印刷することができる。ＶＩＩ．  製品および製品パッケージ識別
【００９０】
本願発明の第７の態様に従って、一つ以上の製品の無線識別のためシステムと方法が提供される。
【００９１】
１つの実施形態においては、多重巻き線シールド識別回路が図５９に図示されており、一般的に９００で表される。下に開示されるように、識別回路９００にシールドされた多重巻き線は、任意選択的に、ＰＯＳ（ｐｏｉｎｔ  ｏｆ  ｓａｌｅ）ディスプレイに関連するコンタクトレス電源と結合して使用されるときに、製品または製品コンテナを識別し、および／または、認証するように動作可能である。識別と認証と同時に、コンタクトレス電源は、所定のプロフィールによって電力を製品または製品コンテナに提供することができる。代替的に、コンタクトレス電源は、受動的な通信モードから、多重巻き線シールド識別回路９００によって送られたデータ信号にしたがって電力を供給するアクティブ通信モードに、をスイッチすることができる。
【００９２】
次に、図５９を参照すると、多重巻き線シールド識別回路９００は、第１、第２および第３の識別コイル９０２、９０４、９０６および、対応する第１、第２および第３のプリント・シールド９０８、９１０、９１２を含む。識別コイル９０２、９０４、９０６は一般的に共平面でありえ、非導電性基盤の上で並んだ方向に形成することができる。代替的に、コイル９０２、９０４、９０６は、非導電性基盤の上で重ね合せた配置で形成することができる。上の方向において、第１のプリント・シールド９０８は、第１のプリントまたはトレース跡巻き線９０２を部分的に含み、第２および第３のプリント・シールド９１０、９１２は、第２および第３トレース巻き線９０４、９０６を、それぞれ部分的に含む。プリント・シールド９０８、９１０、９１２は、互いの間で、少なくとも１つの特性において変動する。例えば、第１のプリント・シールド９０８は、第１のトレース巻き線９０２の第１の表面域を包囲することができ、第２のプリント・シールド９１０は、第２のトレース巻き線９０４の第２の表面域を包囲することができ、そして、第３のプリント・シールド９１２は、第３のトレース巻き線９０６の第３の表面域を包囲することができる。ここで、第１、第２および第３の表面積は、続けてより小さい。この事については、各々の巻き線とシールド組合せ９１４、９１６、９１８は所定の磁力線の影響を受けるとき、異なった反射インピーダンスを生成する。特に、さもなければ、ここで、コイル、シールドおよび連結定数は同一である。つまり、各々のプリント・シールド９０８、９１０、９１２は、対応するコイル９０２、９１２、９０４、９０６の電磁露出を、程度を変動するように、制限し、それにより、各々のペアにおいて、個々の応答を生み出す。プリント・シールド層９０８、９１０、９１２は、任意選択的に、たとえば、カリフォルニア、アーヴィングのヘンケル社によるＥＬＥＣＴＲＯＤＡＧ（登録商標）誘電体インクを含むいかなる適当な材料ででも形成されることができる。プリント・シールド層は、対応する巻き線９０２、９０４、９０６ごとに限られたフィールド露出ウィンドウをつくることができ、効果的に各々の巻き線９０２、９０４、９０６を分離する。その結果、プリント・シールド層は、巻き線の各々の識別パターンを、同様の、あるいは同一の共振周波数を有する二次巻線の間においてさえ、強化することができる。
【００９３】
上記したように、多重巻き線シールド識別回路９００を、コンタクトレス電源と結合して、対応する製品または製品パッケージを識別しておよび／または認証するために、使用することができる。例えば、コンタクトレス電源は、多重巻き線遮蔽識別回路９００の反射インピーダンスをモニタリングする間に、周波数の所定の範囲でスイープすることによって、製品または製品コンテナのアイデンティティを決定することができる。つまり、識別回路９００における分離された巻き線−シールドのペア９１４、９１６、９１８は、コンタクトレス電源一次タンク回路の動作あるいは駆動周波数に依存して、コンタクトレス電源と異なるように反応する。その結果、分離された巻き線−シールド組合せが、動作周波数の範囲をわたって、一次タンク回路の電流または電圧において、バリエーションにもたらすことがありえる。例えば、分離された巻き線−シールド組合せが、一次タンク回路を通してのピークの電圧または電流におけるバリエーションにもたらすことがありえる。一次タンク回路の電圧または電流が閾値を通過するときに、コンタクトレス電源のコントローラは、イベントが起こったときの周波数を記録することができる。周波数の範囲でスイープすることによって、コンタクトレス電源は、孤立した巻き線−シールド組合せの各々の共振周波数を決定し、記録することができる。次に、コントローラはそれらの周波数を、ユニークなデバイスまたはパッケージの識別コードに翻訳することができる。コンタクトレス電源は、製品や製品パッケージの特定の必要によって電力を製品や製品パッケージに提供するために、多重巻き線シールド識別回路９００と関連する識別コードを利用することができる。例えば、コンタクトレス電源によって適用される電力は、一つ以上のＬＥＤ、液晶ディスプレイ、または、製品またはパッケージ外部の上のｅインク・ディスプレイを照明するために利用することができる。その場合に、固定電力出力が適用でき。ディスプレイ、音や他の機能を制御するためのマイクロプロセッサーは、また、製品包装に含めることができる。代替的に、コンタクトレス電源によって適用される電力は、製品の中で含まれる蓄電池またはキャパシタを充電するために利用することができるその際、コンタクトレス電源は、その製品または製品パッケージと関連する多重巻き線シールド識別回路９００の反射インピーダンスに基づいて、可変的な量の電力を供給することができる。この例において、電力は、ＰＯＳ（ｐｏｉｎｔ  ｏｆ  ｓａｌｅ）ディスプレイからの品物の除去の前に蓄電池を満タンにするために使用される。
【００９４】
別の実施形態においては、受動的識別回路の反射インピーダンスを基づいたユニークな識別コードを生成する方法が提供される。適当な識別回路は、２つ以上の共振周波数を有するどんな回路でも含むことができる。例えば、適切な識別回路は、多重巻き線シールド識別回路９００を含むことができる。代替的に、適当な識別回路は、第Ｉ〜ＶＩ部および第ＶＩＩＩ部で開示される識別回路のどれでも含むことができる。
【００９５】
製品または製品コンテナの識別と認証において、誘導性リーダ１０２は、動作周波数の範囲でスイープすることができる。つまり、一次タンク回路電圧、電流や位相をモニターしている間に、誘導性リーダ１０２は、複数の動作周波数で一次タンク回路を駆動することができる。例えば、識別回路の共振周波数を識別するために、一次タンク回路電圧、電流や位相をモニターしている間に、誘導性リーダは、１２０ｋＨｚから３００ｋＨｚまでの周波数の範囲でスイープすることができる。１８０ｋＨｚのこの周波数範囲は、ｎ個の等しい間隔に分割することができる。ここで、ｎは、識別回路がどれくらい正確に調整されるかに依存している。例えば、ｎは、１２０ｋＨｚと３００ｋＨｚの間の３つの６０ｋＨｚの間隔、または、「ｂｉｎｓ」を示す、３に等しいことがありえる。
【００９６】
現在の例において、各々のｂｉｎは、共振周波数の有無に対応するバイナリ値によって示される。共振周波数は、閾値を上回る電流または電圧、局所電流または電圧最大限または他の判定基準に対応することができる。誘導性リーダ１０２が所定のｂｉｎで共振周波数を識別するときに、ｂｉｎは、バイナリ用語「１」で示される。誘導性リーダ１０２が所定のｂｉｎで共振周波数を識別しないときに、ｂｉｎは、バイナリ用語「０」で示される。分離された共振回路をｋ個（そして、共振周波数を少なくともｋ個）有する識別回路に対して、可能な識別コードの数は、以下の式によって示される。
【数１】
2013533522.tif 000005
この例で、識別回路は、２つの分離された共振回路（ｋ＝２）を含み、各々が、１２０ｋＨｚと３００ｋＨｚ（ｎ＝３）の間の３つｂｉｎのうちの１つの共振周波数を有する。上記の式によって、３つの可能性がある識別コードがある：１１０（ｂｉｎ１と２）、１０１（ｂｉｎ１と３）、および、０１１（ｂｉｎ２と３）。これは、どのｂｉｎも、２つの分離された共振回路によって占められることがなく、各々の分離された共振回路は、少なくとも１つのｂｉｎを占めることを仮定している。
【００９７】
可能性な識別コードの数を最大にするために、各々のｂｉｎは、票3によって素数を割り当てることができる。ｘ軸値素数を示し、ｙ軸値（１、２、３、．．．ｍ）は、ｂｉｎを示す。
【表３】
2013533522.tif 000006
【００９８】
上で開示されるように、ｂｉｎ１と２が詰められたと決定された場合には、３−１１−５のキーに対して、対応するｂｉｎ整数まで上げられる各々の素数の製品は、以下の通りである：３１×１１２×５０＝３６３、ここで３６３はユニークな識別子を示す。３６３は１つのユニークな素因数分解を持つので、他のいかなる組合せも、このニューメリック識別子を生成しない。このユニークな識別子は、次に、特定の製品のための識別番号として割り当てることができる。しかしながら、ｂｉｎ１と３が、詰められたと決定された場合には、同じキーに対して、対応するｂｉｎまで上げられる各々の素数の製品は、以下の通りである：３１×１１０×５３＝３７５、ここで、３７５はユニークな識別子を示す。
【００９９】
ユニークな識別子は、下記の式：ユニークな識別子＝３ａ×１１ｂ×５ｃ、によりキー（３−１１−５）を事前に知ることで、対応するｂｉｎに分解することができる（ａ、ｂ、ｃ）特に、ｍ  ｂｉｎに割り当てられる各々のキーの素数をすべて見ることによって、ニューメリック識別コード３６３と３７５は、各々の対応する素因数に因数分解することができる。その結果、詰められたそれらの識別回路ｂｉｎを演繹するか、「バック・アウト」することができる。加えて、追加的なキーを、同一の詰めたｂｉｎを有する受動的識別回路１１６に割り当てることができ、それにより、利用できる識別子の数を増やす。例えば、ｂｉｎ１と２を詰めている受動的識別回路１１６は、５−７−３のキーを有する６４０のユニークな識別子、または、１１−２−３のキーを有する４４のユニークな識別子を達成することができる。誘導性リーダ１０２と関連したコントローラ１１２は、次に、対応する製品にユニークな識別子を割り当てることができ、ユニークな識別子、任意選択的に、製品に関連した他の情報とを、前述の中心ハブ１６８に通信する。
【０１００】
各々の分離された共振回路は１つのｂｉｎだけを占める場合には、すべての可能性なニューメリック識別コードの式は、以下になる：
【数２】
2013533522.tif 000007
ここで、ｎは、可能な素数の数を示し、ｋは、分離された共振回路の数を示し、そして、ｍは可能なｂｉｎの数を示す。
【０１０１】
各々の分離された共振回路が複数のｂｉｎを占める場合には、下の５つの操作が、ｋ＝１ないし５に対する、それぞれのソリューションを供給する。
【数３】
2013533522.tif 000008
【０１０２】
上記の操作に基づいて、可能な組み合わせのかなりの数は、所定の数のｂｉｎ、分離された共振回路、および、素数のべきで生成することができる。例えば、５つのｂｉｎに２つだけコイルを有する識別回路に対して、４，１００の可能なニューメリックのコンビネーションがある。ここで、ｎ＝２０である。ｎ＝３０に対して、可能なニューメリックの組合せは、９，１５０へ増加し、ｎ＝４０に対して２５，２５０、ｎ＝１００に対して１００，５００となる。また、例として、５つのコイル（ｋ＝５）で、３０のｂｉｎ（ｍ＝３０）と、３０の素数（ｎ＝３０）で、３，５５２，３４７，２８６，９００の可能なユニークな製品識別子がありえる。製品と製品パッケージのためのニューメリック識別コードに関係して記載したが、この実施形態の方法は、誘導性結合による遠隔装置識別が望ましい他のアプリケーションの広い範囲にわたって、利用することができる。
【０１０３】
繰り返すと、製品識別システムは、複数の分離された共振回路１２０、１２２を含む製品のための格納デバイス１０４、一次タンク回路を含む誘導性リーダ１０２と、分離された共振回路１２０、１２２の共振周波数に基づいて製品のアイデンティティを決定するのに適している誘導性リーダ１０２とを含むことができる。誘導性リーダ１０２は、素数と整数を、複数の分離された共振回路１２０、１２２の各々の共振周波数へ割り当てるのに適しているコントローラ１１２を含むことができ、コントローラ１１２、またはたとえば中心ハブ１６８は、次に、格納デバイス１０４に、各々の共振周波数に対して対応する整数まで上げる素数の製品に基づいて、一意の名前を割り当てることができる。ここで、ユニークな識別子は素因数分解を定める。例えば、１３０ｋＨｚ（ｂｉｎ  １）と２００ｋＨｚ（ｂｉｎ  ２）の共振周波数を有する複数の孤立した共振回路は、３−１１−５のキーに対して、式３１×１１２×５０にしたがって、３６３の（または、に基づいた）ユニークな識別子を有することができる。
【０１０４】
別の実施形態においては、デバイス識別システムは図６０に図示されおり、一般的に９２０と表される。下に開示されるように、デバイス識別システム９２０は、携帯デバイス、コンタクトレス電源、および、製品または製品パッケージの間のデータをシェアするのに用いることができる。次に、図６０を参照すると、デバイス識別システムは、コンタクトレス電源９２２、ポータブル・デバイス９２４および一つ以上のパッケージ９２６、９２８を含む。コンタクトレス電源９２２は、直列または平行した共振コンデンサーと複数の識別プロフィールを格納するためのコントローラとを含むことができる。第１のパッケージ９２６は、二次コイル９３０を含む二次タンク回路を含むことができる。二次コイル９３０は、粘着剤を用いたパッケージ９２６の外部面に適用することができるフレキシブル非導電性基盤上のプリント・トレース巻き線を含むことができる、第１のパッケージ９２６は、コンタクトレス電源９２２のドライブまたは動作周波数に対応する二次タンク回路が共振周波数を含むように、キャパシタンスを有するように選択された直列または平行した共振コンデンサーを含むこともできる。
【０１０５】
使用において、コンタクトレス電源９２２は、第１のパッケージ９２６に電力を供給することができ、先に述べたように、実質的に第１のパッケージを識別することができ、認証することができる。この事については、コンタクトレス電源９２２と第１のパッケージ９２６は、無線電力と受動的な通信リンクを含む。同様に、携帯デバイス９２４と第２のパッケージ９２８も、受動的な通信リンクを共有する。ここで、モバイル機器９２４が第２のパッケージ９２８に無線電力を供給するために任意選択的に使用可能である。この実施形態において、携帯デバイス９２４、任意選択的にモバイル機器（例えば携帯電話またはＰＤＡ（ＰＤＡ））は、一次コイル９３４を有するコンタクトレス電源を含む。第２のパッケージ９２８は、対応する二次コイル９３６を含む。一次および二次コイル９３４、  ９３６は、任意選択的に、デバイス９２４の外側と、粘着剤を用いたパッケージ９２８に適用されるフレキシブル非導電性基盤上でプリント巻き線を含むことができる。通信のみのモードで、デバイス９２４は、上述の方法で、コンタクトレス電源９２２と第１のパッケージ９２６に関連して、パッケージ９２８を識別することができ、認証することができる。通信および電力モードで、デバイス９２４は、所定のプロフィールによって、パッケージ９２８の識別と認証に応答して、パッケージ９２８に無線電力を供給することができる。
【０１０６】
携帯デバイス９２４は、パッケージ９２８のアイデンティティまたは電力必要とは無関係なデータを受けることができる。例えば、携帯デバイス９２４は、パッケージ９２８と関連した一つ以上の仮想コードを受けることができ、電子的にコードを検証するでき、および／または、コードがウィナーであるかどうか決定することができる。この例で、コードは、携帯デバイス９２４の一次コイル９３４と密接に結合された二次コイル９３６の反射インピーダンスに対応することができる。例えば、インターネット接続を使用して、デバイス９２４は、ホスト・ウェブサイトにおいて、任意選択的に、パッケージ９２８のためのプロモーションの賞金レースの一部として、コードのステータスを確かめることができる、あるいは、コードを取り戻すことができる。この事については、追加情報は、無線パワー伝達と関係しているパッケージ識別または他の情報の一部でない場合がありえるデバイス９２４とパッケージ９２８とに配布される。
【０１０７】
別の実施形態においては、ＰＯＳ（ｐｏｉｎｔ  ｏｆ  ｓａｌｅ）無線電力システムは、図６１−６３に図示され、一般的に、９４０で表される。下に開示されるように、無線電力システム９４０は、電力とデータをコンタクトレス電源とＰＯＳ（ｐｏｉｎｔ  ｏｆ  ｓａｌｅ）ディスプレイと関連した製品や製品パッケージとで分配するのに用いることができる。
【０１０８】
次に、図６１を参照すると、ＰＯＳ（ｐｏｉｎｔ  ｏｆ  ｓａｌｅ）無線電力システム９４０は、第１のコンタクトレス電源９４２、第１のコンテナまたはパッケージ９４４、および、それ、あるいは、第１のパッケージ９４４と関連した他のものに含まれるか、支持される第１の製品９４６を含む。第１のコンタクトレス電源９４２は、一次タンク回路９４８、複数の識別プロフィールを格納するためのコントローラ９５０、パワー伝達プロフィール、あるいは、他の情報を含むことができる。対応する製品９４６は、製品自体の上で、または、それの中で含まれる二次タンク回路９５２を含むことができる。二次タンク回路９５２は、製品バッテリーが購入の前に十分に充電されることを確実とする９４６の中で含まれた、電力を内部のバッテリーに提供することができる。代替的に、または追加的に、二次タンク回路９５２は、電力を製品９４６と関連した負荷に提供することができる。例えば、この負荷は、１つ以上のＬＥＤ、ＯＬＥＤ、液晶ディスプレイ、ｅインク・ディスプレイ、スピーカー回路、サーボ、振動子、アクチュエータ、モーター、あるいは、他のデバイスを含むことができる。加えて、製品９４６は、それにより製品９４６は音、動作、一次タンク回路９４８から時間変動電磁場を受けるとき特に、製品９４６、への注意をひくアニメーションまたは照明を生成するデモ・モードを含むことができる、製品コンテナ９４４を通して、製品９４６の全体または一部が見える場合に、これが望ましいことがありえる。
【０１０９】
図６１にも示されるように、システム９４０は、第２のパッケージ９５８の中に含まれる第２の製品９５６の下または近傍に第２のコンタクトレス電源９５４を含むことができる。第１のコンタクトレス電源９４２のように、第２のコンタクトレス電源９５４は、一次タンク回路９６０を含む。図示されていないが、一次タンク回路９６０は、直列または平行した共振コンデンサーを含むことができ、そして、第２のコンタクトレス電源９５４は、複数の識別プロフィール、パワー伝達プロフィール、あるいは、他の情報を格納するために、コントローラを含むことができる。対応する製品９５６は、内部のバッテリーへの電力に製品自体の中に含まれる、および／または製品９５６の直接電力に供給する二次タンク回路９６２を含む。加えて、包装９５８は、電力を負荷９６６に提供するために、更なる二次タンク回路９６４を含むことができる。前記負荷は、ＬＣＤ、ＯＬＥＤ、ＬＥＤ、ｅインク・ディスプレイ、スピーカーまたは、先に述べた実質的に他のデバイスを含むことができる。製品９５６とパッケージ９５８各々は、音、動作、アニメーション、照明または他の出力などを生成することができる、この点において、製品９５６は、例えば、包装照明、そして、ＰＯＳ（ｐｏｉｎｔ  ｏｆ  ｓａｌｅ）で製品９５６を進める他の機能とインターラクトする、任意選択的に、図６２に示されるように、第２のパッケージ９５８は、発熱素子９６８を更に含むことができる。図１８に関連して先に述べたように、実質的に、発熱素子２９６は、強磁性材を含むことができる。例えば、発熱素子９６８は、ＰＯＳ（ｐｏｉｎｔ  ｏｆ  ｓａｌｅ）のコンテンツを包装するを加熱するために、第２のパッケージ９５８のボール紙表面に適用される金属箔を含むことができる発熱素子９６８は、一次タンク回路９６０からの磁力線の適用によって直接熱されることができる。あるいは、二次タンク回路とオプションのバッテリーを使って、間接的に熱されることができる。パッケージ・コンテンツは、例えば、加熱された飲料、食品、ローション、血清や治療軟膏を含むことができる。
【０１１０】
次に、図６３を参照すると、ＰＯＳ（ｐｏｉｎｔ  ｏｆ  ｓａｌｅ）無線電力システム９４０は、ＰＯＳ（ｐｏｉｎｔ  ｏｆ  ｓａｌｅ）のパッケージ９７２に対するプリント・ラベル９７０を含むことができる。プリント・ラベル９７０は、負荷に電気的に接続した二次コイル９７４を含む。二次コイル９７４は、プリント・トレース巻き線を含むことができ、そして、負荷はＬＣＤ、ＯＬＥＤ、ＬＥＤ、ｅインク・ディスプレイ、スピーカーまたは実質的に上記の他のデバイスを含むことができる、負荷と二次コイル９７４は、接着性基材を有するフレキシブル非導電性基盤の上で形成することができる。基盤は、たとえば、弱められたか孔を空けたヒンジなど折込線９７８を含む。これは、基盤９８０の上部を基盤９８２の下部から切り離す。基盤９８０の上部は、負荷を支持し、基盤９８２下部は、二次コイル９７４を支持する。一般的に、パッケージ９７２の少なくとも１つの表面にあうように、ラベル９７０をサイズ設定することができる。例えば、パッケージ９７２の少なくとも１つの側壁にあうように、上のラベル部９８０を、サイズ設定することができる、一方、下部のラベル部９８２は、折込線９７８に対して柔軟であり、パッケージ９８２のベースにあうことができる。上記したように、ラベル９７０は、ラベル９７０をパッケージ９７２に取り付けるためにその後部面上に、たとえば圧力感知性粘着剤など、粘着剤を含むことができる。使用において、二次コイル９７４は、その間の連結定数を改良するために、対応する一次コイルのすぐ近くに配置される。
ＶＩＩＩ．  プリント二次回路
【０１１１】
本願発明の別の態様によると、プリント・インク二次回路は図６４に図示され、一般的に１１００と表される。下に開示されるように、プリント・インク二次回路１１００は、ＰＯＳ（ｐｏｉｎｔ  ｏｆ  ｓａｌｅ）ディスプレイに関連して使われるコンタクトレス電源の範囲を増やすことができる。特に、プリント・インク二次回路１１００は、コンタクトレス電源の二次コイルから抵抗型負荷を電気的に絶縁することによって無線電力システムの範囲を増やすことができる。
【０１１２】
次に、図６４を参照すると、プリント・インク二次回路１１００は、非導電性柔軟な基盤の上で形成され、受信器一次トレース巻き線１１２２と受信器二次トレース巻き線１１２４を含む。受信器一次トレース巻き線１１２２と受信器二次トレース巻き線１１２４は、実質的に同一平面上で、共軸である。ここで、受信器一次トレース巻き線１１２２は、受信器二次トレース巻き線１１２４をわたり、また、放射状に間隔があいている。コンタクトレス電源システムにおける誘導性二次回路として機能する受信器一次トレース巻き線１１２２は、誘導性素子１１２６、３つのコイルと、誘導性素子１１２６の第１および第２の端部１１３０にわたっている、選択的な、抵抗性、容量性、または導体素子１１２８、１１３２を含むように示される。抵抗性、容量性または導電性素子１１２８は、任意選択的に、プリント・インク・ジャンパー１１２８と呼ばれ、第１のプリント・インク絶縁層１１３４を用いた誘導性素子２６からは間隔をあけられる。プリント・インク・ジャンパー１１２８は、全体的なパフォーマンス、プリント・インク二次回路１１２０の効率、そして、特に、受信器一次トレース巻き線１１２２を改良するのに選ぶことができる。例えば、プリント・インク・ジャンパー１１２８は、受信器一次トレース巻き線１１２２が、一次コイル／コンタクトレス電源の駆動あるい動作周波数に対応する共振周波数を含むように選択された容量性素子を含むことができる。この点において、プリント・インク・ジャンパー１１２８は、プリント・インク二次回路１１２０のパフォーマンスを調整するか、さもなければ最適化するために、選択することができる。
【０１１３】
図６４にも示されるように、受信器第二のトレース巻き線１１２４は、４つのコイル、実質的に受信器一次トレース巻き線１１２２のコアの内部に配置されている誘導性素子１１３６を有する誘導性素子１１３６を含む。受信器第二のトレース巻き線２４は、一次誘導性素子１１２６から間隔をあけて伸びる第１および第２の端部１１３８、１１４０を更に含む。加えて、第２および第３のプリント・インク絶縁層１１４２、１１４４は、それぞれ第１および第２の端部１１３８、１１４０一次誘導性素子１１２６との間に挿入される。受信器第二のトレース巻き線１１２４の第１および第２の端部分１１３８、１１４０は、その負荷に電力源を供給する負荷（図示せず）にわたって電気的に結合することができる。受信器一次、二次トレース巻き線１１２２、１１２４が図６４では、非導電性フレキシブル基盤の同じ面に示されているが、受信器一次と第二のトレース巻き線１１２２、１１２４は、非導電性フレキシブル基盤の反対側の面に、代替的に配置されていてもよい。加えて、受信器一次と第二のトレース巻き線１１２２、１１２４は、螺旋、長方形やギザギザのコイルを含む所望のどんな適当な幾何形状を含むものでもよく、そして、所望の巻き数を含むものでもよい。
【０１１４】
上記したように、プリント・インク二次回路１１２０は、抵抗型負荷を受信器一次トレース巻き線１１２２から分離することによってＰＯＳ（ｐｏｉｎｔ  ｏｆ  ｓａｌｅ）ディスプレイと関連した無線電力システムを含む無線電力システムの範囲を増やすために利用することができる、この点において、受信器一次トレース巻き線１１２２とジャンパー素子１１２８は、自由共振回路、あるいは、孤立した共振回路を形成する。プリント・インク二次回路１１２０は、受信器一次と第二のトレース巻き線１１２２、１１２４の反対側のフレキシブル非導電性基盤に適用する圧力感知性粘着剤を含むことができる。ＰＯＳ（ｐｏｉｎｔ  ｏｆ  ｓａｌｅ）ディスプレイと関連した表面に適用される場合、磁力線を変動している時間の影響を受けるときに、プリント・インク二次回路１１２０が、負荷に電力源に提供する。負荷は、ＰＯＳ（ｐｏｉｎｔ  ｏｆ  ｓａｌｅ）ディスプレイと関連した、ＬＥＤ、液晶ディスプレイ、スピーカー・コイル、例えばバッテリーまたはキャパシタなどのエネルギー蓄積装置、または、ここに注意される他のＰＯＳ（ｐｏｉｎｔ  ｏｆ  ｓａｌｅ）アプリケーションを含むどんなデバイスでも含むことができる、
【０１１５】
別の実施形態においては、プリント電源が図６５に示されて、一般的に１１５０と表される。プリント電源１１５０は、フレキシブル絶縁基板上に形成することができ、プリント第二のトレース巻き線１１５２、プリント直列共振形容量性素子１１５４、ダイオード１１５６、スムージング容量性素子１１５８、直列抵抗型負荷１１６０を含むことができる。現在の実施形態において、プリント電源１１５０は、ＰＯＳ（ｐｏｉｎｔ  ｏｆ  ｓａｌｅ）ディスプレイにかかわる一つ以上の負荷１１６０に出力源を供給するためにプリント二次タンク回路を形成する。プリント直列共振形容量性素子１１５４は、プリント電源１１５０が、コンタクトレス電源のドライブまたは動作周波数に対応する共振周波数を含むように選択することができる。つまり、プリント直列共振形容量性素子１１５４は、プリント電源１１５０のパフォーマンスを調整するか、さもなければ最適化するために、選択することができる。加えて、ダイオード１１５６は、ＬＥＤでありえ、そして、さらに任意選択的にＯＬＥＤでもありえる。この点において、ＬＥＤ１１５６は、スムージング容量性素子１１５８と共に、比較的低い動作電圧で負荷１１６０に調整されたＤＣ出力を供給することができ、また、一方、光出力も供給することができる。負荷１１６０は、さらなるＬＥＤ、ｅインク・ディスプレイ、液晶ディスプレイ、スピーカー・コイル、そして、例えばバッテリーまたはキャパシタなど、エネルギー蓄積装置を含む、ＰＯＳ（ｐｏｉｎｔ  ｏｆ  ｓａｌｅ）ディスプレイと関連したどんなデバイスでも含むことができる、負荷１１６０に調整された電圧を供給すると上で記載したが、プリント電源１１５０は、管理された出力、図６５にも示されるように、グラウンドＧｎｄと相対するＶｃｃをその代わりに供給することができる。例えば、プリント電源は、ＰＯＳ（ｐｏｉｎｔ  ｏｆ  ｓａｌｅ）ディスプレイに関連して使用のために３ＶのＤＣ出力を適切に供給することができる。
【０１１６】
図６５にも示されるように、プリント電源１１５０は、たとえばキャパシタまたはバッテリー１１６２など、エネルギー蓄積装置に調整された電圧を供給することができる、この実施形態において、直列ＬＥＤ  １１５６は、任意選択的に導電性エポキシを使うことで、誘導性巻き線１１５２の第１のリードとバッテリー１１６２の正端子の間で、電気的に接続される。同様に、バッテリー１１６２の負端子は、誘導性巻き線１１５２の第２のリードに電気的に接続している。ＬＥＤ  １１５６は、誘導性巻き線１１５２を通して、電力の逆流を防止する整流ダイオードとして機能する。プリント回路１１５０は、誘導性巻き線１１５２の抵抗を、交流電圧の整流を容易にするＬＥＤ  １１５６と組み合わせて、エネルギー蓄積装置１１６２を充電するために、利用する。誘導性巻き線１１５２は、巻き線１１５２がＬＥＤ１１５６とバッテリー１１６２のための電流リミッタとして機能するように選ばれる抵抗を含むことができる。例えば、誘導性巻き線１１５２は、８００オームの抵抗を含むことができ、他の値でも、利用することもできる。図示されないが、プリント電源１１５０は、誘導性巻き線１１５２とＬＥＤ１１５６の間で、直列に接続されるキャパシタを含むことができる。任意選択的には、ＬＥＤ１１５６は、バッテリー１１６２の電力レベルを示すためまたは、バッテリーの電力レベルが所定のレベル以下に落ちたことを示すために使用可能である、例えば、ＬＥＤ強度は、が必要ならば、電力レベルを示すことができる。
【０１１７】
図６５にも示されるように、プリント回路１１５０は、少なくとも部分的に磁力線からバッテリー１１６２を保護するために、プリント・シールド１１６４を含むことができる。これにより、バッテリー１１６２における渦電流を最小にしている。図６５のプリント回路を集める方法は、非導電性基盤を供給すること、電磁シールド層１１６４を基盤の少なくとも１つの表面に印刷すること、基盤の表の部分の上でＬＥＤ１１５６に誘導性巻き線１１５２を電気的に接続すること、基盤の前面の上のそして、グラフィック・オーバレイを供給することを含むことができる。シールド層１１６４とグラフィック・オーバレイは、誘導性巻き線１１５２とＬＥＤ１１５６のために接地面を供給するために、基盤で同一の広がりをもつことがありえる。回路１１５０は、例えば、バッテリー１１６２との電気的接続のための基盤の表面の後部表面で折られた導電性タブなど、第１および第２の電気的接点を含むことができる。適切な誘導性リーダは、プリントバッテリ充電回路１１５０を、その反射インピーダンスに基づいて識別することができ、および／または認証することができる。識別や認証と同時に、コンタクトレス電源は、所定のプロフィールによって、および／または、プリント回路の反射インピーダンスを基づいて、プリント回路１１５０に電力を供給することができる。
【０１１８】
上記したように、プリント電源１１５０は、フレキシブル絶縁基板の上で形成することができる。基盤は、例えば、製品の部分、製品パッケージ、またはディスプレイ面を含むことができる。代替的に、基盤は、製品、製品パッケージ、またはディスプレイ面と別々でありえるか、分離できる。その代わりに、プリント電源１１５０の反対側に粘着剤を含むことができる。プリント電源のトレース要素とＬＥＤ（またはＯＬＥＤ）が比較的薄いので、プリント電源は、製品、製品パッケージ、または、対応する製品、製品パッケージ、またはディスプレイ面のサイズと重さに対する最小の全体的な影響によるディスプレイ面のすぐ上に位置できることがありえる。時間変動磁力線をの影響を受けるとき、結果として生じるＤＣ出力を、一つ以上のプリントトランジスタまたはプリントＦＥＴを通して、ここに開示されたように、ＰＯ（ｐｏｉｎｔ  ｏｆ  ｓａｌｅ）ディスプレイの機能性をさらに増すために適用することができる。
【０１１９】
別の実施形態においては、プリント二次回路は図６６に示され、一般的に１２００と表される。二次回路１２００は、非導電性フレキシブル基盤の上に形成することができ、トレース巻き線１２０２、プリント・インク・キャパシタ１２０４、第１および第２のカーボン・プリント抵抗素子１２０６、１２０８、および、プリント・インク・絶縁層１２１２をわたるトレース巻き線の端部分を相互接続するプリント・インク・ジャンパー１２１０を含む。基盤１２１４の一部は、曲げられるとき、第２のカーボン・プリント抵抗素子１２０８のインピーダンスの変化という結果になる。これにより、二次回路１２００の反射インピーダンスを変化させる。上に述べたような方法で、誘導性リーダ１０２やコンタクトレス電源７００は、二次回路１２００のインピーダンスの変化を識別することができ、そして、対応する製品または製品パッケージの特定の必要によって電力を供給することができる。この実施形態は、例えば、ＰＯＳ（ｐｏｉｎｔ  ｏｆ  ｓａｌｅ）ディスプレイに関する、位置、製品または製品包装の重さや動きを識別するのに役に立つ。任意選択的に、図６７に示されるように、二次回路１２００は、圧力マイクロスイッチが機械負荷１２２２によって圧縮されるとき、閉路を形成するために、２つのトレース１２１８、１２２０を引き起こす圧力マイクロスイッチとして動作するセンサ１２１６を含む。この変動する抵抗は、二次回路１２００においてインピーダンスの変動を引き起こす。そして、それは先に述べたように、誘導性リーダやコンタクトレス電源によって読み出すことができる。これは、製品が触れられた回数を示すのに用いることができ、そして、使用、ヘルプ、情報、再発注、および、パッケージまたはデバイスからのシステムへの他の入力を示すために、基本的なフィードバックを供給することができる。
【０１２０】
別の実施形態においては、プリント二次回路は図６８に示されて、一般的に１３００と表される。プリント二次回路１３００は、レジスタ・アレーを形成し、トレース巻き線１３１２、直列共振キャパシタ１３１４、抵抗素子１３２６を短絡させる直列抵抗素子１３２６とバイパス素子１３２８を含む複数の分離された共振回路１３１６、１３１８、１３２０を含む。抵抗素子１３２６とバイパス素子１３２８の構成は、メーカーによって設定されることもでき、あるいは、製品コンテナ１３０４のユーザーにより選択可能であることもできる。例えば、物理スイッチは、各々のバイパス素子１３２８の状態を選ぶために使用されることができる。物理スイッチは、押しボタン、多極スライダ・スイッチ、または多極ロータリスイッチであってもよい。図６８に示すように、しかしながら、分離された共振回路１３１６は、非導電性基盤１３３０の上で伝導性インクから形成される。ここで、非導電性基盤の部分の分離に応答してバイパス素子１３２８が、オープンにされる。ユーザーがバイパス素子１３２８のうちの１つをオープンにすることを望む場合には、ユーザーは、パーフォレーション１３３２に沿って基盤１３３０の指定された部分を引き離すことができる。このように、共振回路１３１６の”ｎ”数の状態は、２ｎ電力レベルのうち、いずれが対応する製品または製品コンテナに印加されなければならないか、を示すことができる。加えて、分離された共振回路１３１６は、図６９に示すように、梱包材の上で互いに重なることができる。ここで分離された共振回路１３１６は、図２４に関連して上記したように、実質的に、絶縁インク１３４２の対応する層を通して切り離される。図７０にも示されるように、引き裂きタブとプリント・インク・キャパシタの両方が、分離された共振回路１３００へのそれら選択的編入を例示するために省略される。その際、共振周波数は、分離された共振回路１３００におけるターン数に基づいて、部分的に決定される。図７１に示すような別のバリエーションにおいては、分離された共振回路１３００は、磁気遮蔽材料１３４２のコーティングの上に印刷される。それは、また、印刷方式により適用することができる。このオプションは、改良された誘導的結合が必要である場合に有益であることが証明できる。例えば、二次回路が金属パッケージに印加される例である。
【０１２１】
プリント二次回路１３００が、３つの分離された共振回路１３１６を含むように、図６８に示されるが、プリント二次回路１３００は、単一の二次コイルに電気的に接続した複数の抵抗器を有する一つの抵抗器配列回路をその代わりに含むことができる。抵抗器は、二次コイルに関して平行に、あるいは、直列に接続することができる。そして、実質的に前述したように、選択的に、抵抗器配列に加えたり、それから取り除いたりすることができる。抵抗器をプリント二次回路１３００へ選択的に加えるか、取り除くことによって、プリント二次回路１３００の誘導性識別プロフィールは、選択的に制御することができる。例えば、平行抵抗器が回路１３００から取り除かれると、誘導性識別プロフィール、そして、特に、その振幅は、全体的なインピーダンスの変化を反映するために変動することができる。プリント二次回路１３００は、また、当初の抵抗を持つ当初の誘導性識別プロフィールを有することができる。抵抗器（または他のインピーダンス素子）が効果的に加えられるか、プリント二次回路１３００から取り除かれると、誘導性識別プロフィールは、任意選択的に電力ニーズ、製品量、または、プリント二次回路１３００によって受動的に伝達される他の情報を定めるために変動することができる。
【０１２２】
以上の図６６−７１との関係で記述される実施形態において、分離された共振回路は、伝導性インクをパッケージ基盤に印刷することによって構築することができる。複数の層が要求される例において、この層は、隣接したプリント回路の間に非導電性インク層を印刷することによって、互いに分離することができる。たとえば、図７２に示されるように、第１の導電性回路１３９４は、パッケージ基盤１３９０の外部ラベル１３０４と部分の間に配置される。第２の導電性回路１３９６は、パッケージ・コンテナの中に、包装基盤１３９０による第１の導電性回路１３９４から間隔をあけて、配置される。あるいは、図７３に示されるように、二層回路１３０６は、製品パッケージ１３９０の外側の上の第１のプリント二次回路１３９４と、製品包装１３９０を内部の第２のプリント二次回路１３９６とを含むことができる。絶縁インク層１３０２は、離れて間隔をあけることができ、第１および第２のプリント二次回路１３９４、１３９６の上に配置できる。以上説明をしたように、図６８に関連して、利用できる回路トポロジーを増やすために、導電性回路１３９４、１３９６は、また、除去回路タブ１３０６を含むことができる。各々のプリント二次回路１３００は、また、メーカーにより設定された所定の誘導性識別プロフィールを含むことができる。例えば、プリント二次回路１３００は、例えば、予定受信者のアイデンティティに対応する誘導性識別プロフィールを含むためにレーザー調整することができる。また、例として、プリント二次回路１３００は、一つ以上のスイッチ、および／または、上で留意された分離された共振回路、任意選択的に、メーカー、小売業者やエンドユーザによる操作によって、その後変動されえる単一の誘導性識別プロフィールを含むためにレーザー調整することができる。
【０１２３】
別の実施形態においては、プリント製品カウント・センサは、図７４に示されて、一般的に１４００と表される。製品カウント・センサ１４００は、二次コイル１４０２とプリント基板１４０４を含む。基盤１４０４は、ボール紙、プラスチック、複合材料、または適当な他の材料から形成することができる。製品カウント・センサ１４００は、クローズされた電気回路を形成するために二次コイル１４０２に電気的に接続している一つ以上の導体１４０６を含むこともできる。導体１４０６は、基盤１４０４に印刷することができる。それは、接着剤を使って接着される、またはさもなければ、他のどの適当な技術によっても基盤１４０４に貼られる。導体１４０６は、基盤１４０４の上部の上に、基盤１４０４の下部が縦に折られるときに、製品正孔１４１０と整合する基盤１４０４において、穿孔セクション１４０８にわたることができる抵抗素子１４１２、そして、容量性素子１４１４を、穿孔セクション１４０８の上に配置することもできる。絶縁体１４１６は、導体１４０６、抵抗素子１４１２と容量性素子１４１４の上にわたることができる。製品カウント・センサ１４００は、その製造の間に、製品コンテナに形成することができる。または、その製造の後製品コンテナに貼られる。
【０１２４】
導体１４０６、抵抗素子１４１２と容量性素子１４１４が、一般的に手つかずであるとき、製品カウント・センサ１４００は、当初のインピーダンスを持つことができる。穿孔セクション１４０８、そして、それとともに重なっている導体１４０６、抵抗素子１４１２または容量性素子１４１４が取り除かれると、製品カウント・センサ１４００のインピーダンスが変動することができる。インピーダンスのこのバリエーションは、近傍の誘導性リーダによって測定することができる。例えば、穿孔セクション１４０８の除去は、製品ディスプレイ台からの品物の除去に対応することができる。製品が取り除かれると、誘導性リーダは、反射インピーダンスの変化をモニターすることができ、メモリに保存されたルックアップ表を参照して、変化を特定の製品を除去することに関連させることができる。製品量、製品タイプおよびユニークな誘導性リーダ識別子は、実質的に前述のように、中心ハブ１６８に、そして、ネットワーク・サーバ１７４に送信することができる。したがって，プリント製品カウント・センサ１４００は、標準的なプリント回路と関連したスペーシングと他の限界を克服して、高密度の包装構成を可能にする。代替的に、小売業者によって選ばれた穿孔セクション１４０８の除去は、パッケージの予期された使用期限を示すことができる。銅よりもむしろ伝導性インクを任意選択的に使うことにより、そして、薄い絶縁層によって切り離されるきつく重ね合せコイルを任意選択的に使うことにより、望ましい密度と層数は、費用効果がよい方法において達成することができる。多重コイル、コイルの複数の層、そして、複数の配電回路は、すぐに積み重なることができる、あるいは、改良された電力処理のために平行に電気的に接続されることができる。これらのコンポーネントは、望ましい厚みと密度に従う一つ以上の層において、直接強磁性シールド材に印刷することができる。
【０１２５】
上記の説明は、発明の現在の実施形態のものである。添付の特許請求の範囲において定められるように、本願発明の趣旨とより広い態様を逸脱しない範囲で、種々の変更と変化が可能である。これは、均等論を含む特許法の原則に従って解釈されることである。例えば、冠詞「ａ」、「ａｎ」、「ｔｈｅ」、または、「ｓａｉｄ」を用いて、単数として要素が言及されても、要素を単数に制限して、特許請求の範囲を解釈するものではない。
【図１】
2013533522.tif 000009
【図２】
2013533522.tif 000010
【図３】
2013533522.tif 000011
【図４】
2013533522.tif 000012
【図５】
2013533522.tif 000013
【図６】
2013533522.tif 000014
【図７】
2013533522.tif 000015
【図８】
2013533522.tif 000016
【図９】
2013533522.tif 000017
【図１０】
2013533522.tif 000018
【図１１】
2013533522.tif 000019
【図１２】
2013533522.tif 000020
【図１３】
2013533522.tif 000021
【図１４】
2013533522.tif 000022
【図１５】
2013533522.tif 000023
【図１６】
2013533522.tif 000024
【図１７】
2013533522.tif 000025
【図１８】
2013533522.tif 000026
【図１９】
2013533522.tif 000027
【図２０】
2013533522.tif 000028
【図２１】
2013533522.tif 000029
【図２２】
2013533522.tif 000030
【図２３】
2013533522.tif 000031
【図２４】
2013533522.tif 000032
【図２５】
2013533522.tif 000033
【図２６】
2013533522.tif 000034
【図２７】
2013533522.tif 000035
【図２８】
2013533522.tif 000036
【図２９】
2013533522.tif 000037
【図３０】
2013533522.tif 000038
【図３１】
2013533522.tif 000039
【図３２】
2013533522.tif 000040
【図３３】
2013533522.tif 000041
【図３４】
2013533522.tif 000042
【図３５】
2013533522.tif 000043
【図３６】
2013533522.tif 000044
【図３７】
2013533522.tif 000045
【図３８】
2013533522.tif 000046
【図３９】
2013533522.tif 000047
【図４０】
2013533522.tif 000048
【図４１】
2013533522.tif 000049
【図４２】
2013533522.tif 000050
【図４３】
2013533522.tif 000051
【図４４】
2013533522.tif 000052
【図４５】
2013533522.tif 000053
【図４６】
2013533522.tif 000054
【図４７】
2013533522.tif 000055
【図４８】
2013533522.tif 000056
【図４９】
2013533522.tif 000057
【図５０】
2013533522.tif 000058
【図５１】
2013533522.tif 000059
【図５２】
2013533522.tif 000060
【図５３】
2013533522.tif 000061
【図５４】
2013533522.tif 000062
【図５５】
2013533522.tif 000063
【図５６】
2013533522.tif 000064
【図５７】
2013533522.tif 000065
【図５８】
2013533522.tif 000066
【図５９】
2013533522.tif 000067
【図６０】
2013533522.tif 000068
【図６１】
2013533522.tif 000069
【図６２】
2013533522.tif 000070
【図６３】
2013533522.tif 000071
【図６４】
2013533522.tif 000072
【図６５】
2013533522.tif 000073
【図６６】
2013533522.tif 000074
【図６７】
2013533522.tif 000075
【図６８】
2013533522.tif 000076
【図６９】
2013533522.tif 000077
【図７０】
2013533522.tif 000078
【図７１】
2013533522.tif 000079
【図７２】
2013533522.tif 000080
【図７３】
2013533522.tif 000081
【図７４】
2013533522.tif 000082
【図７５】
2013533522.tif 000083
【手続補正書】
【提出日】平成24年12月19日(2012.12.19)
【手続補正１】
【補正対象書類名】特許請求の範囲
【補正対象項目名】全文
【補正方法】変更
【補正の内容】
【特許請求の範囲】
【請求項１】
製品のための記憶装置と、
格納デバイスによって支持され、二次コイルと可変インピーダンス素子を含む製品センサ回路と、
を備える製品センサであって、
該可変インピーダンス素子のインピーダンスは、前記製品の特性に比例して変動し、
該製品センサは、該可変インピーダンス素子の該インピーダンスの関数として変動する反射インピーダンスを有し、該特性を前記反射インピーダンスに基づいて遠隔で決定できるようになっている、製品センサ。
【請求項２】
前記可変インピーダンス素子は、可変抵抗器と、可変キャパシタと、可変インダクタとのうちの１つを含む、請求項１に記載の製品センサ。
【請求項３】
前記製品は、重量を定める複数の落下する可能性のある物品を含み、
前記特性は、前記格納デバイスの中の前記複数の落下する可能性のある物品の重さを含む、請求項１に記載の製品センサ。
【請求項４】
前記製品は、体積を定める液体を備え、
前記特性は、前記格納デバイスの中の前記液体の量を含む、請求項１に記載の製品センサ。
【請求項５】
前記製品は、体積を定める液体を備え、
前記特性は、前記格納デバイスの中の前記液体の温度を含む、請求項１に記載の製品センサ。
【請求項６】
前記製品は、量を定めるシート材料のロールを含み、
前記記憶装置は、ロール形状を含み、
前記特性は、ロール形状におけるシート材料の量を含む、請求項１に記載の製品センサ。
【請求項７】
シート材料の前記ロールは、前記可変インピーダンス素子の前記インピーダンスを変動させるために、パーフォレーションに沿って分離できる、請求項６に記載の製品センサ。
【請求項８】
シート材料の前記ロールは、縦方向軸を定め、
前記パーフォレーションは、縦方向軸に概垂直である、請求項７に記載の製品センサ。
【請求項９】
シート材料の前記ロールは、縦方向軸を定め、
前記パーフォレーションは、前記縦方向軸と概平行である、請求項７に記載の製品センサ。
【請求項１０】
前記格納デバイスにより支持され、電磁界を変動する時間に応じて、前記液体を加熱するのに適している加熱素子を更に備える請求項５に記載の製品センサ。
【請求項１１】
前記加熱素子は、強磁性材から形成される、請求項１０に記載の製品センサ。
【請求項１２】
電力源を加熱素子に提供するために、前記加熱素子に電気的に接続された誘導素子を更に含む請求項１０に記載の製品センサ。
【請求項１３】
前記可変インピーダンス素子は、サーミスタである、請求項５に記載の製品センサ。
【請求項１４】
前記製品センサ回路は、直列共振キャパシタを含む、請求項１に記載の製品センサ。
【請求項１５】
前記格納デバイスは、前記製品のために格納スペースを規定する、ベースと上への広がっている側壁とを含む、請求項１に記載の製品センサ。
【請求項１６】
前記格納デバイスによって支持される製品識別回路であって、誘導性識別プロフィールを規定する製品識別回路を更に含む請求項１に記載の製品センサ。
【請求項１７】
前記製品識別回路は、各々共振周波数を定めている複数の分離された共振回路を含む、請求項１６に記載の製品センサ。
【請求項１８】
前記複数の分離された共振回路の各々は、対応する分離された共振回路の共振周波数を変動させるためにスイッチを含む、請求項１７に記載の製品センサ。
【請求項１９】
前記複数の分離された共振回路の各々は、抵抗素子に電気的に結合された、誘導性素子を含み、
前記スイッチは、概抵抗素子を短絡させるために動作可能である、請求項１８に記載の製品センサ。
【請求項２０】
一次タンク回路を含む誘導性リーダであって、該誘導性リーダは、可変インピーダンスを定めている製品センサ回路のインピーダンスに基づいて、製品の特性を決定するのに適しており、
該可変インピーダンスは、前記製品の特性が製品センサーシステムにより反射インピーダンスに基づいて、決定されることができるように、前記製品の前記特性に比例して変動し、
前記製品センサ回路は、前記製品のためのサポート・デバイスの上に含まれている、誘導性リーダを備える製品センサーシステム。
【請求項２１】
前記誘導性リーダは、前記決定された特性を、該誘導性リーダと前記サポート・デバイスとから遠隔にあるハブに送るのに適している、請求項２０に記載の製品センサーシステム。
【請求項２２】
前記製品は、重量を定める複数の落下する可能性のある物品を含み、
前記特性は、前記サポート・デバイスの中の前記複数の落下する可能性のある物品の重さを含む、請求項２０に記載の製品センサーシステム。
【請求項２３】
前記製品は、体積を定める液体を備え、
前記特性は、前記サポート・デバイスの中の前記液体の量を含む、請求項２０に記載の製品センサーシステム。
【請求項２４】
前記製品は、体積を定める液体を備え、
前記特性は、前記サポート・デバイスの中の前記液体の温度を含む、請求項２０に記載の製品センサーシステム。
【請求項２５】
前記製品は、量を定めるシート材料のロールを含み、
前記サポート・デバイスは、ロール形状を含み、
前記特性は、ロール形状におけるシート材料の量を含む、請求項２０に記載の製品センサーシステム。
【請求項２６】
前記製品センサ回路は、可変インピーダンス素子を含む、請求項２０に記載の製品センサーシステム。
【請求項２７】
前記可変インピーダンス素子は、可変キャパシタと、可変インダクタと、可変抵抗器との内の１つを含む、請求項２６に記載の製品センサーシステム。
【請求項２８】
前記液体は、少なくとも部分的に導電性である、請求項２３に記載の製品センサーシステム。
【請求項２９】
前記サポート・デバイスによって支持され、
電磁場を変動している時間に応じて、前記液体を加熱するのに適している加熱素子を更に備える請求項２４の製品センサーシステム。
【請求項３０】
前記加熱素子は、強磁性材から形成される、請求項２９に記載の製品センサーシステム。
【請求項３１】
シート材料の前記ロールは、前記製品センサ回路の前記インピーダンスを変動させるために、パーフォレーションに沿って分離できる、請求項２５に記載の製品センサーシステム。
【請求項３２】
前記サポート・デバイスによって支持される製品識別回路を更に備える製品センサーシステムであって、
該製品識別回路は、誘導性識別プロフィールを定める、請求項２０に記載の製品センサーシステム。
【請求項３３】
前記製品識別回路は、各々が共振周波数を定める複数の分離された共振回路を含む、請求項３２に記載の製品センサーシステム。
【請求項３４】
前記複数の分離された共振回路の各々は、対応する分離された共振回路の共振周波数を変動させるためにスイッチを含む、請求項３３に記載の製品センサーシステム。
【請求項３５】
前記複数の分離された共振回路の各々は、抵抗素子に電気的に結合された、誘導性素子を含み、
前記スイッチは、概抵抗素子を短絡させるために動作可能である、請求項３４に記載の製品センサーシステム。
【請求項３６】
前記誘導性リーダは、前記誘導性識別プロフィールの関数として選択された周波数を有する前記一次タンク回路において電流を変動する時間を生成するのに適合している、請求項３２に記載の製品センサーシステム。
【請求項３７】
可変インピーダンスを規定する製品センサ回路を提供するステップと、
サポート・デバイスを、可変特性を定めている製品に提供するステップと、
前記製品センサ回路を該サポート・デバイスに取り付けるステップと
を含む製品センサを形成する方法であって、
前記製品センサ回路の前記可変インピーダンスは、前記製品の前記可変特性に比例して変動し、
該製品センサは、該製品センサ回路の該可変インピーダンスの関数として変動する反射インピーダンスを有し、該可変特性が前記反射インピーダンスに基づいて遠隔で決定できるようになっている、方法。
【請求項３８】
前記製品を前記サポート・デバイスに加えるステップを更に含む請求項３７に記載の方法。
【請求項３９】
前記製品センサ回路により、二次コイルと可変インピーダンス素子とを規定するステップを更に含む請求項３７に記載の方法。
【請求項４０】
前記サポート・デバイスにより、ベースと側壁を規定するステップを更に含む請求項３７に記載の方法。
【請求項４１】
前記サポート・デバイスにより、ロール形状を規定するステップを更に含む請求項３７に記載の方法。
【請求項４２】
前記製品は、シート材料のロールを含む、請求項４１に記載の方法。
【請求項４３】
シート材料の前記ロールにパーフォレーションの処理をするステップであって、シート材料の前記ロールは、前記製品センサ回路の前記可変インピーダンスを変動させるために、該パーフォレーションに沿って分離できる、ステップを更に含む請求項４２に記載の方法。
【請求項４４】
加熱素子を前記サポート・デバイスに取り付けるステップであって、該加熱素子は、電磁場を変動している時間に応じて、前記製品を加熱するように動作可能である、ステップを更に含む請求項４１に記載の方法。
【請求項４５】
強磁性材料から前記加熱素子を形成するステップを更に含む請求項４４に記載の方法。
【請求項４６】
ＰＯＳ（point of sale）ディスプレイによって支持され、一次タンク回路を含む誘導性リーダと、
(1)前記ＰＯＳ（point of sale）ディスプレイに、インピーダンス素子を含む製品コンテナを追加すること、
(2)前記ＰＯＳ（point of sale）ディスプレイから、インピーダンス素子を含む製品コンテナを除去すること、
の少なくとも１つに応じて、一次タンク回路において電力の特性の変化を検出するのに適合する誘導性リーダと、
を備える、ＰＯＳ（point of sale）ディスプレイの製品モニター・システム。
【請求項４７】
前記ＰＯＳ（point of sale）ディスプレイは、複数の製品コンテナをスライド可能に支持する棚乗ユニットを含む、請求項４６に記載の製品モニター・システム。
【請求項４８】
前記棚乗ユニットは、深さを規定し、
一次コイルを含む前記一次タンク回路は、前記棚乗ユニットの前記深さに沿って実質的に広がる、請求項４７に記載の製品モニター・システム。
【請求項４９】
前記棚乗ユニットは、長さを規定し、
一次コイルを含む前記一次タンク回路は、前記棚乗ユニットの前記長さに沿って実質的に広がる、請求項４７に記載の製品モニター・システム。
【請求項５０】
電力の前記特性は、電圧と、電流と、位相とのうちの１つを含む、請求項４６に記載の製品モニター・システム。
【請求項５１】
累積的なインピーダンスを規定する複数の製品コンテナを更に備え、
前記誘導性リーダは、前記ＰＯＳ（point of sale）ディスプレイから、複数の製品コンテナの１つを除去することに応じて、反射累積インピーダンスの減少を検出するのに適合している、請求項４６に記載の製品モニター・システム。
【請求項５２】
累積的なインピーダンスを規定する複数の製品コンテナを更に備え、
前記誘導性リーダは、前記ＰＯＳ（point of sale）ディスプレイへ、製品コンテナを追加することに応じて反映された累積的なインピーダンスの増加を検出するのに適合している、請求項４６に記載の製品モニター・システム。
【請求項５３】
前記誘導性リーダは、中心ハブへの製品コンテナの追加または除去に基づいて、情報を伝送するのに適合している、請求項４６に記載の製品モニター・システム。
【請求項５４】
前記中心ハブは、製品在庫レベルの履歴を保持するのに適合するメモリを含む、請求項５３に記載の製品モニター・システム。
【国際調査報告】
2013533522.tif 000084
2013533522.tif 000085
2013533522.tif 000086
2013533522.tif 000087
2013533522.tif 000088
2013533522.tif 000089
2013533522.tif 000090